(57)【要約】【課題】隣接する発光領域の光の強度差により生じる出力の輝度差をより視認しにくくすることができる表示装置を提供する。【解決手段】複数の画素を有する表示部を備えた反射型の表示装置は、表示部に光を照射する照明部と、照明部から発せられる光である内光の強度及び複数の画素の各々の階調値を制御する信号処理部と、を備え、照明部は、内光の強度を個別に制御可能に設けられた複数の発光領域を有し、信号処理部は、同一の輝度の表示出力を行う画素が隣接し、かつ、これらの画素を含む領域の各々に光を照射する発光領域の各々の光の強度の差が所定の閾値以上である場合、内光の強度がより弱い第１の発光領域の光が照射される第１の部分領域が有する画素のうち内光の強度がより強い第２の発光領域の光が照射される第２の部分領域側に存する所定数の画素の輝度を上げる補正を行う。【選択図】図２４
2017049336.tif 000002
【特許請求の範囲】
【請求項１】
複数の画素を有する表示部を備えた反射型の表示装置であって、
前記表示部に光を照射する照明部と、
前記表示部に照射される光のうち前記照明部からの光以外の光である外光の強度を測定する測定部と、
前記測定部により測定された前記外光の強度に基づいて、前記照明部から発せられる光である内光の強度及び前記複数の画素の各々の階調値を制御する制御部と、を備え、
前記表示部は、各々が複数の画素を有する複数の部分領域を有し、
前記照明部は、前記複数の部分領域の各々に個別に光を照射することができるように設けられた複数の発光領域を有し、
前記複数の発光領域の各々は内光の強度を個別に制御可能に設けられ、
前記制御部は、前記複数の部分領域の各々の表示出力に必要な前記内光の強度を前記複数の発光領域毎に決定し、隣接する複数の部分領域で同一の輝度の表示出力を行う画素が隣接し、かつ、当該複数の部分領域の各々に光を照射することができるように設けられた発光領域の各々の光の強度の差が所定の閾値以上である場合、前記隣接する複数の部分領域のうち前記内光の強度がより弱い第１の発光領域の光が照射される第１の部分領域が有する所定数の画素の輝度を上げる補正を行い、
前記所定数の画素は、前記輝度の表示出力を行う画素であって、かつ、前記隣接する複数の部分領域のうち前記内光の強度がより強い第２の発光領域の光が照射される第２の部分領域側に存する画素である
表示装置。
【請求項２】
前記制御部は、前記所定数の画素のうち、前記第２の部分領域により近い側に存する画素の輝度をより遠い側に存する画素の輝度よりも相対的に上げる補正を行う
請求項１に記載の表示装置。
【請求項３】
前記同一の輝度の表示出力は、黒色の表示出力である
請求項１又は２に記載の表示装置。
【請求項４】
前記複数の画素は、少なくとも第一の色の副画素、第二の色の副画素及び第三の色の副画素を有し、
前記測定部は、外光が含む前記第一の色、前記第二の色及び前記第三の色の各々の色成分の強度を測定し、
前記複数の発光領域の各々は、前記第一の色、前記第二の色及び前記第三の色の各々の光の強度を個別に制御可能に設けられ
前記制御部は、前記複数の部分領域の各々の表示出力に必要な前記内光の強度を前記第一の色、前記第二の色及び前記第三の色の各々について個別に決定し、前記補正を前記第一の色、前記第二の色及び前記第三の色の各々について個別に行う
請求項１から３のいずれか一項に記載の表示装置。
【請求項５】
前記制御部は、前記第１の発光領域の内光の強度を前記第２の発光領域の内光の強度に近づけるように強める
請求項１から４のいずれか一項に記載の表示装置。
【請求項６】
前記制御部は、前記外光の強度及び前記補正前の前記第１の発光領域の内光の強度がゼロである場合、前記第１の発光領域の内光の強度を前記第２の発光領域の内光の強度に近づけるように強める
請求項１から５のいずれか一項に記載の表示装置。
【請求項７】
前記制御部は、前記複数の発光領域の各々から発せられる内光の強度分布に基づいて前記補正を行う
請求項１から６のいずれか一項に記載の表示装置。
【発明の詳細な説明】
【技術分野】
【０００１】
本発明は、表示装置に関する。
【背景技術】
【０００２】
表示出力のための光源が複数の発光領域を有し、発光領域毎に光の強度を調節可能に設けられた表示装置が知られている（例えば特許文献１）。係る発光領域毎の光の調節のための機能は、所謂ローカルディミング機能として知られている。
【先行技術文献】
【特許文献】
【０００３】
【特許文献１】特開２０１３−２２２５１５号公報
【発明の概要】
【発明が解決しようとする課題】
【０００４】
ローカルディミング機能を用いる場合、データ的に同一輝度であるはずの出力が発光領域からの光の強度に応じて異なる出力に見えてしまう場合がある。このため、隣接する発光領域の光の強度差が所定以上になると、これらの発光領域の各々の光を用いて表示出力を行う隣接する表示領域の各々でデータ的に同一輝度の出力を行っているにも関わらず異なる出力として視認される現象が生じることがある。係る現象は、例えば背景色等、より広い範囲で連続する同一色においてより視認されやすくなる。
【０００５】
本発明は、上記の課題に鑑みてなされたもので、隣接する発光領域の光の強度差により生じる出力の輝度差をより視認しにくくすることができる表示装置を提供することを目的とする。
【課題を解決するための手段】
【０００６】
本発明の一態様による表示装置は、複数の画素を有する表示部を備えた反射型の表示装置であって、前記表示部に光を照射する照明部と、前記表示部に照射される光のうち前記照明部からの光以外の光である外光の強度を測定する測定部と、前記測定部により測定された前記外光の強度に基づいて、前記照明部から発せられる光である内光の強度及び前記複数の画素の各々の階調値を制御する制御部と、を備え、前記表示部は、各々が複数の画素を有する複数の部分領域を有し、前記照明部は、前記複数の部分領域の各々に個別に光を照射することができるように設けられた複数の発光領域を有し、前記複数の発光領域の各々は内光の強度を個別に制御可能に設けられ、前記制御部は、前記複数の部分領域の各々の表示出力に必要な前記内光の強度を前記複数の発光領域毎に決定し、隣接する複数の部分領域で同一の輝度の表示出力を行う画素が隣接し、かつ、当該複数の部分領域の各々に光を照射することができるように設けられた発光領域の各々の光の強度の差が所定の閾値以上である場合、前記隣接する複数の部分領域のうち前記内光の強度がより弱い第１の発光領域の光が照射される第１の部分領域が有する所定数の画素の輝度を上げる補正を行い、前記所定数の画素は、前記輝度の表示出力を行う画素であって、かつ、前記隣接する複数の部分領域のうち前記内光の強度がより強い第２の発光領域の光が照射される第２の部分領域側に存する画素である。
【図面の簡単な説明】
【０００７】
【図１】図１は、実施形態１に係る表示装置を備えた電子機器の主要構成の一例を示すブロック図である。
【図２】図２は、実施形態１に係る照明装置を備えた表示装置の模式的な分解斜視図である。
【図３】図３は、表示パネル及び光源部の断面構造の一例を示す図である。
【図４】図４は、副画素として機能する複数の画素による色再現の単位の一例を示す図である。
【図５】図５は、部分領域と単位画素との関係の一例を示す図である。
【図６】図６は、外光強度と単位画素の最高階調値出力時の反射輝度との関係を示す模式図である。
【図７】図７は、所定の反射輝度を得るために必要な外光強度が得られない場合において行われる内光の調整の一例を示す図である。
【図８】図８は、所定の反射輝度を得るために必要な外光強度が得られない場合において行われる内光の調整の一例を示す図である。
【図９】図９は、所定の反射輝度に対して外光強度が強すぎる場合において行われる画素の階調値の補正の一例を示す図である。
【図１０】図１０は、所定の反射輝度に対して外光強度が強すぎる場合において行われる画素の階調値の補正の一例を示す図である。
【図１１】図１１は、外光強度と反射輝度と例示輝度との対応関係の一例を示すグラフである。
【図１２】図１２は、信号処理部による一フレーム分の表示出力に係る処理の流れの一例を示すフローチャートである。
【図１３】図１３は、白色点の設定の一例を示す模式図である。
【図１４】図１４は、入力信号に対して白色点及び輝度の倍率を用いた補正を行う場合の一例を示す模式図である。
【図１５】図１５は、要補助輝度の算出の一例を示す模式図である。
【図１６】図１６は、処理単位毎の内光の強度の導出に係る処理の一例を示す模式図である。
【図１７】図１７は、出力信号の決定に係る演算の一例を示す模式図である。
【図１８】図１８は、処理単位毎の内光の制御及び階調値の算出の一例を示す図である。
【図１９】図１９は、一つの処理単位に含まれる複数の単位画素の階調値の算出例を示す図である。
【図２０】図２０は、一つの部分領域と、当該一つの部分領域に光を照射する一つの発光領域が有する発光部との位置関係の一例を示す図である。
【図２１】図２１は、２×２の部分領域の出力例を示す模式図である。
【図２２】図２２は、２×２の部分領域に光を照射する複数の発光領域の発光状態の一例を示す模式図である。
【図２３】図２３は、色の差の視認を困難にするための補正のイメージ図である。
【図２４】図２４は、所定数の単位画素に対する補正の度合いの一例を示す模式図である。
【図２５】図２５は、所定数の単位画素に対する補正の度合いの一例を示す模式図である。
【図２６】図２６は、一つの発光領域からの光の強度分布の一例を示す模式図である。
【図２７】図２７は、到達光を考慮した補正の一例を示す模式図である。
【図２８】図２８は、一つの発光領域が有する複数の発光部の配置パターンの一例を示す図である。
【図２９】図２９は、一つの発光領域が有する複数の発光部の配置パターンの一例を示す図である。
【図３０】図３０は、一つの発光領域が有する複数の発光部の配置パターンの一例を示す図である。
【図３１】図３１は、図２８に示す一つの発光領域からの光が到達する範囲及び到達光の強度の減衰パターンの一例を示す図である。
【図３２】図３２は、図２９に示す一つの発光領域からの光が到達する範囲及び到達光の強度の減衰パターンの一例を示す図である。
【図３３】図３３は、図３０に示す一つの発光領域からの光が到達する範囲及び到達光の強度の減衰パターンの一例を示す図である。
【図３４】図３４は、実施形態２に係る表示装置を備えた電子機器の主要構成の一例を示すブロック図である。
【図３５】図３５は、実施形態２に係る表示装置の模式的な分解斜視図である。
【図３６】図３６は、実施形態２における補正の一例に係るイメージ図である。
【図３７】図３７は、隣接する二つの発光領域の一方のみが特定の色の光源を点灯させている場合の一例を示す模式図である。
【図３８】図３８は、図３７において発光していなかった第１の発光領域を補正のために発光させる場合の一例を示す模式図である。
【図３９】図３９は、第２の部分領域の反射輝度と第１の部分領域の反射輝度との対比の一例を示すグラフである。
【図４０】図４０は、実施形態２における補正の別の例に係るイメージ図である。
【図４１】図４１は、変形例において副画素として機能する複数の画素による色再現の単位の一例を示す図である。
【図４２】図４２は、変形例における要補助輝度の算出の一例を示す模式図である。
【発明を実施するための形態】
【０００８】
（実施形態１）
以下に、本開示の各実施の形態について、添付図面を参照しつつ説明する。なお、本開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状などについて模式的に表される場合があるが、あくまで一例であって、本発明の解釈を限定するものではない。また、本明細書と各図面において、既出の図面に関して前述したものと同様の要素には、同一の符号を付して、詳細な説明を適宜省略することがある。
【０００９】
図１は、実施形態１に係る表示装置を備えた電子機器１の主要構成の一例を示すブロック図である。図２は、実施形態１に係る表示装置の模式的な分解斜視図である。図１に示すように、表示装置１は、複数の画素４８を有する反射型の表示部１０と、表示部１０に光を照射する照明部２０と、外光強度を測定するためのセンサ７０と、表示装置の制御部として機能する信号処理部８０とを備える。また、表示装置を備える電子機器１は、表示装置に加えてさらに、電子機器１に対する各種の入力を行うための入力部９０、電子機器１の動作に係る各種の処理を行う制御装置１００等を備える。
【００１０】
表示部１０は、例えば表示パネル３０と表示パネル駆動回路４０とを備える。表示パネル３０は、反射型の表示パネルであり、照明部２０から出射される光（内光Ｌ１）及び照明部２０からの光以外の光（外光Ｌ２）の少なくとも一方を用いて映像表示を行う。表示パネル３０は、２次元マトリクス状に配置された複数の画素４８と、各画素４８内に設けられた反射型表示素子とを備える。反射型表示素子は、例えば、電気泳動素子、ＬＣＯＳ（Liquid  Crystal  On  Silicon）などの液晶素子、ＭＥＭＳ（Micro  Electro  Mechanical  Systems）素子、エレクトロウェッティング素子またはエレクトロクロミック素子などにより構成される。
【００１１】
図３は、表示パネル３０及び光源部５０の断面構造の一例を示す図である。図３では、反射型表示素子が液晶材料層７９を有する液晶素子である場合の断面構造の一例を示している。例えばガラス材料から成る背面基板７１の上には、アクリル樹脂等の高分子材料から成る平坦化膜７２が形成されており、その上に、アルミニウム等の金属材料から成る反射電極７８が形成されている。反射電極７８は、その表面が鏡面状に形成され、各画素４８に対応して設けられている。信号線と反射電極７８との電気的な接続を制御するために、各画素４８に対応してＴＦＴ等の素子が接続されている。なお、図３ではＴＦＴや信号線などの種々の配線の図示を省略している。
【００１２】
例えばガラス材料から成る前面基板３５には、ＩＴＯ等の透明導電性材料から成る共通電極が設けられている。カラー表示の場合には、画素４８は副画素の組から成り、各副画素に対応してカラーフィルタ等が設けられる。なお、図３では共通電極などの図示を省略している。前面基板３５と背面基板７１との間には、液晶材料層７９が配置されている。図３における符号７９ａは、液晶材料層７９を構成する液晶分子を模式的に示している。
【００１３】
反射電極７８は、内光Ｌ１及び外光Ｌ２を含む進入光Ｌ（図２参照）を反射して反射光ＲＬとする反射部として作用する。進入光Ｌの強度に対する反射光ＲＬの強度は、液晶材料層７９による変調の度合いに応じる。すなわち、液晶材料層７９における液晶の向きが制御されることで液晶材料層７９を通過する光の透過率が変化し、画素４８の輝度が制御される。
【００１４】
前面基板３５には、液晶材料層７９等の光学特性、表示パネル３０に求められる視野角特性等の諸条件に応じて光の進行方向及び散乱の度合いを調節するための構成が設けられていてもよい。例えば、本実施形態では、前面基板３５の液晶材料層７９側とは反対側の面には、異方性散乱体３６が配置されており、更に、その上に、１／４波長板３７、１／２波長板３８、及び、偏光板３９が配置されている。また、本実施形態では、液晶材料層７９は、図示しないスペーサ等によって、所定の条件において光が往復すると液晶材料層７９が１／２波長板として作用するような厚さに設置されている。進入光Ｌは、偏光板３９によって所定の方向の直線偏光となった後に、１／２波長板３８によって偏光面が９０度回転し、その後、１／４波長板３７によって円偏光となる。円偏光となった光は液晶材料層７９を透過して反射電極７８によって反射した後、液晶材料層７９を透過して、異方性散乱体３６によって散乱した後、１／４波長板３７および１／２波長板３８を透過して偏光板３９に達する。画素電極などに印加する電圧を制御して、液晶材料層７９における液晶分子１７Ａの配向状態を制御することによって、反射光ＲＬが偏光板３９を透過する量を制御することができる。図３では、散乱した反射光ＲＬを破線で示している。
【００１５】
表示パネル３０の構成は、特に限定するものではなく、反射型の液晶表示パネルや電子ペーパー（例えば電気泳動式）などといった周知のデバイスを用いることができる。表示パネル３０はモノクロ表示であってもよく、複数の色のカラーフィルタ等を用いたカラー表示であってもよい。表示パネル３０は、例えば、透明共通電極を備えたフロントパネル、画素電極を備えたリアパネル、及び、フロントパネルとリアパネルとの間に配置された液晶材料などを備える。表示パネル３０は、画素電極に光を反射する材料が採用されていてもよいし、透光性画素電極と金属等の反射膜の組み合わせによって反射膜が光を反射する構成であってもよい。本実施形態では、液晶の駆動モードとして縦電界モードの一つであるＥＣＢモードを採用しているが、他の縦電界モードであるＴＮモードやＶＡモードを採用することも可能である。また、横電界モードであるＩＰＳモードやＦＦＳモードで駆動される構成であってもよい。また、表示パネル３０の構成としては、例えば、画素４８内に反射型の表示領域と透過型の表示領域の両方を有する液晶表示パネルであってもよい。
【００１６】
図４は、副画素として機能する複数の画素４８による色再現の単位の一例を示す図である。実施形態１では、複数の画素４８が複数の色のうちいずれかの色を出力する副画素であり、表示部１０は、複数の副画素の出力の組み合わせで色再現を行う。具体的には、複数の画素４８が、赤色（Ｒ）、緑色（Ｇ）、青色（Ｂ）のうちいずれかの色を出力する副画素であり、表示部１０は、赤色（Ｒ）の副画素４８Ｒ、緑色（Ｇ）の副画素４８Ｇ及び青色（Ｂ）の副画素４８Ｂの出力の組み合わせでＲＧＢ信号に応じた色再現を行う。以下、ＲＧＢ信号に応じた色再現を行うための複数の副画素の組み合わせによる構成を単位画素４５と記載することがある。実施形態１では、一つの単位画素４５が一つの赤色（Ｒ）の副画素４８Ｒ、一つの緑色（Ｇ）の副画素４８Ｇ及び一つの青色（Ｂ）の副画素４８Ｂを有する場合について説明するが、これは単位画素４５の構成の一例であってこれに限られるものでなく、適宜変更可能である。また、図１等では画素４８が正方形状になっているが、これは模式的な記載であって実際の画素４８の形状を示すものではなく、長方形や四辺形等の多角形形状を採用することも可能である。なお、副画素の色について特に区別されない事項に関する記載を行う場合、画素４８と記載することがある。図１、図２に示す画素４８は、例えば赤色（Ｒ）の副画素４８Ｒ、緑色（Ｇ）の副画素４８Ｇ又は青色（Ｂ）の副画素４８Ｂのいずれかである。
【００１７】
表示部１０は、例えば、平面に沿って互いに交差する二方向（例えば、互いに直交するＸ方向及びＹ方向）に沿うようにマトリクス状に設けられた複数の画素４８を有する。実施形態１では、一つの単位画素４５を構成する複数の副画素がＸ方向に沿って並ぶ構成であるが、これは副画素の配置の一例であってこれに限られるものでなく、適宜変更可能である。実施形態１の表示パネル３０は、複数の単位画素４５がマトリクス状に設けられている。
【００１８】
表示パネル３０の形状は特に限定されず、例えば、横長の矩形状であってもよく、縦長の矩形状であってもよい。表示部１０の単位画素４５（ピクセル）の数Ｍ×Ｎを（Ｍ，Ｎ）で表記し、副画素の数をＱで表記したとき、例えば、表示パネル３０が横長の矩形状の場合には（Ｍ，Ｎ）の値として、（６４０×Ｑ，４８０）、（８００×Ｑ，６００）、（１０２４×Ｑ，７６８）などの画像表示用解像度の幾つかを例示することができ、縦長の矩形状の場合には相互に値を入れ替えた解像度を例示できる。
【００１９】
表示パネル３０は、少なくとも一部分が可撓性を有するようにしてもよい。その場合、表示部１０は、例えば、プラスチック基板、電気泳動素子などからなる反射型表示素子及び有機ＴＦＴ（Thin  Film  Transistor；薄膜トランジスタ）などからなる駆動素子などを用いて構成される。
【００２０】
表示パネル駆動回路４０は、信号出力回路４１及び走査回路４２を備えている。表示パネル駆動回路４０は、信号出力回路４１によって映像信号を保持し、順次、表示パネル３０に出力する。信号出力回路４１は、配線ＤＴＬによって表示パネル３０と電気的に接続されている。走査回路４２は、配線ＳＣＬによって表示パネル３０と電気的に接続されている。信号出力回路４１は、表示パネル３０における副画素の階調値に応じた動作（光透過率）を制御するためのスイッチング素子（例えば、ＴＦＴ）のオン／オフを制御する走査回路４２と同期して信号処理部８０から出力される出力信号を適宜出力する。走査回路４２は、信号処理部８０から出力される出力信号が示す画素４８の位置に応じた配線ＳＣＬと接続された画素４８のスイッチング素子をオンにする。
【００２１】
照明部２０は、例えば、光源部５０、光源部制御回路６０等を有する。光源部５０は、表示パネル３０の表示面Ｓに対向配置され、当該表面を照射すると共に、当該表示面での反射光を透過させる。すなわち、光源部５０は、表示パネル３０の表示面Ｓに対して内光Ｌ１を照射する所謂フロントライトである。この光源部５０は、透光性基板上に設けられた自発光素子を有する発光部５１等を備える。透光性基板としては、例えば、ガラス、各種プラスチック材料（例えば、ＰＭＭＡ、ポリカーボネート樹脂、アクリル系樹脂、非晶性のポリプロピレン系樹脂、ＡＳ樹脂を含むスチレン系樹脂）などの透光性基板を用いることができ、外光を透過させる透明な構成である。発光部５１は、例えば、有機電界発光素子（有機ＥＬ（Electroluminescence）素子や無機電界発光素子（無機ＥＬ素子）、有機発光ダイオード（ＯＬＥＤ；Organic  Light  Emitting  Diode）及びマイクロ発光ダイオード（ＭｉｃｒｏＬＥＤ；Micro  Light  Emitting  Diode）などにより構成される。発光部５１は、表示パネル３０の表示面Ｓに向けて内光Ｌ１を照射する。
【００２２】
光源部５０は、表示パネル３０の画素４８の領域（画素領域）に対応して形成された開口５２と、表示パネル３０における画素４８同士の間の領域（画素間領域）に設けられた格子状の遮光部５３とを備える。遮光部５３は、ブラックマトリクス（ＢＭ）として機能するものであり、例えば、所定の黒色樹脂材料からなる。図２に示すように、内光Ｌ１は、進入光Ｌの一部又は全部として液晶材料層７９に進入して反射電極７８に反射されて反射光ＲＬとなって出射する。具体的には、図３に示すように、開口５２を通過する外光Ｌ２と内光Ｌ１とが反射光ＲＬとなって出射する。係る反射光ＲＬの強度は、信号処理部８０の制御下で決定される液晶材料層７９の光の透過率に応じる。なお、図２で示す実線が遮光部５３を示し、実線で示す矩形の内側が開口５２として機能する。一つの開口５２のＸＹ方向の位置は、一つの画素４８のＸＹ方向の位置に対応する。
【００２３】
図５は、部分領域と単位画素４５との関係の一例を示す図である。実施形態１では、表示部１０は、各々が複数の画素４８を有する複数の部分領域を有し、照明部２０は、複数の部分領域の各々に個別に光を照射する複数の発光領域を有する。また、複数の発光領域の各々は内光Ｌ１の強度を個別に制御可能に設けられている。具体的には、実施形態１の表示パネル３０は、信号処理部８０の制御下における出力信号の制御単位となる複数の部分領域を有する。複数の部分領域の各々は、複数（例えば、Ｘ×Ｙ＝１０×１０）の単位画素４５を有する。図５では、実線で示す一つの矩形が一つの単位画素４５であり、破線で示す一つの矩形が一つの部分領域である。すなわち、図５で示す一つの単位画素４５の領域には、図４で示す三つの画素４８が存することから、三つの画素４８のＸＹ方向の位置に対応する三つの開口５２及び三つの開口５２を囲う遮光部５３が当該ＸＹ位置の光源部５０に存することになる。光源部５０の複数の発光領域の各々は、少なくとも一つ以上の発光部５１を有し、照明部２０は、表示パネル３０が有する複数の部分領域の各々に対して複数の発光領域の各々から発せられる光が個別に照射可能に設けられている。以下の説明において、複数の部分領域のうち一つの部分領域と当該一つの部分領域に光を照射する発光領域とを合わせて一つの処理単位と記載することがある。
【００２４】
光源部制御回路６０は、光源部５０から出力する光の光量等を制御する。具体的には、光源部制御回路６０は、信号処理部８０から出力される発光領域制御信号に基づいて光源部５０が有する複数の発光領域の各々に設けられた発光部５１に供給する電圧又はｄｕｔｙ比を調整することで、複数の部分領域の各々に照射される光（内光Ｌ１）の強度を制御する。
【００２５】
センサ７０は、表示部１０に照射される光のうち照明部２０によらない光（外光Ｌ２）の強度を測定する。具体的には、センサ７０は、検知された光の強度に応じた出力を生じる構成（例えばフォトダイオード等）、係る出力を数値化及びデータ化して出力する回路等を備える。センサ７０は、フィルタ等の分光のための構成をさらに備え、外光Ｌ２を表示部１０の画素４８の色の一部又は全部に対応する色の光に分光して各々の色の光の強度を測定するようにしてもよい。実施形態１のセンサ７０は、赤色（Ｒ）、緑色（Ｇ）、青色（Ｂ）のそれぞれのスペクトルの光の強度を個別に測定する。センサ７０は、例えば表示パネル３０の表示領域外（額縁領域）であって、比較的表示領域に近い位置に複数設けられている。より具体的には、センサ７０は、表示領域の周縁や四隅に沿って１又は複数設けられている。センサ７０が複数である場合、その測定結果は、最も明るい測定結果を示す測定値、複数の測定結果の平均値、中央値、その他適宜の数値を採用可能である。
【００２６】
信号処理部８０は、表示装置の動作に係る各種の処理を行う。具体的には、信号処理部８０は、例えばＦＰＧＡ（field-programmable  gate  array）のような集積回路により構成される。当該集積回路は、表示出力に係る各種の演算処理を行う演算部、当該演算部による演算に係る各種のデータを記憶する記憶部等として機能する。信号処理部８０は、例えば入力部９０を介して設定された画面の明るさ及びセンサ７０により測定された外光Ｌ２の強度に基づいて、に供給する各画素の出力信号や照明部２０に供給する各照明部の明るさ等を調整するための出力信号を演算する。
【００２７】
入力部９０は、例えば表示部１０と一体的に設けられたタッチパネル式のセンサや、電子機器１に設けられたスイッチ等により構成される。ユーザは、入力部９０に対する操作を介して電子機器１の動作に係る各種の入力を行うことができる。具体例を挙げると、ユーザは入力部９０に対する操作を介して表示部１０による画像表示における画面の明るさに係る設定等を行うことができる。
【００２８】
制御装置１００は、例えばＦＰＧＡのような集積回路等により構成される。当該集積回路は、表示出力に係る各種の演算処理を行う演算部、当該演算部による演算に係る各種のデータを記憶する記憶部等して機能する。制御装置１００は、例えば表示装置により表示される画像のデータを構成する複数の画素値（階調値）を表示装置に入力すべき入力信号に変換する画像信号変換部１０１として機能する。入力信号は、例えばＲＧＢ信号であり、単位画素４５ごとの赤色（Ｒ）の副画素４８Ｒ、緑色（Ｇ）の副画素４８Ｇ及び青色（Ｂ）の副画素４８Ｂの階調値を示す情報を備えている。画像信号変換部１０１は、この入力信号を信号処理部８０に出力する。
【００２９】
以下、本実施形態の表示装置についてより詳細に説明する。まず、所定の反射輝度と外光Ｌ２及び内光Ｌ１の関係とについて単純化して説明する。図６は、外光強度と単位画素４５の最高階調値出力時の反射輝度との関係を示す模式図である。本実施形態では、単位画素４５の最高階調値出力時、すなわち、（Ｒ，Ｇ，Ｂ）＝（２５５，２５５，２５５）の入力信号に応じた出力時、単位画素４５は最高輝度の白色を出力する「白表示状態」になるものとする。ここでいう「白表示」は、（Ｒ，Ｇ，Ｂ）＝（２５５，２５５，２５５）を補正せずに出力した表示を指し、後述する白色点によって定義される色の比率の影響は関係ないものとする。図６では、外光強度と白表示状態の画素４８の反射輝度との関係を線Ｐで示すと共に、特定の２パターンの外光強度Ｐａ，Ｐｂにおける反射輝度Ｕａ，Ｕｂを示している。外光強度Ｐａ，Ｐｂは、Ｐａ＜Ｐｂの関係を有し、反射輝度Ｕａ，Ｕｂは、Ｕａ＜Ｌａ＜Ｕｂの関係を有するものとする。図７、図８は、所定の反射輝度を得るために必要な外光強度が得られない場合において行われる制御の一例を示す図である。図９、図１０は、所定の反射輝度に対して外光強度が強すぎる場合において行われる制御の一例を示す図である。所定の反射輝度は、例えば、電子機器１を用いるユーザが設定した画面の明るさに対応する反射輝度であってもよいし、統計的に見て電子機器１を視認するユーザが画面を見やすいと感じる反射輝度であってもよい。以下、図７〜図１０を参照した説明では、白表示状態において反射輝度Ｌａを得られることが所望されるという前提で説明を行う。
【００３０】
例えば、図７に示すように、外光Ｌ２のみの反射輝度Ｕａでは、表示部１０が所定の反射輝度Ｌａを確保することができない場合がある。この場合、信号処理部８０は、発光部５１を用いて不足している輝度Ｌｕに応じた強度の光を表示領域に照射するための信号処理を行う。当該信号処理によって、反射輝度として必要な光の強度を有する光を反射電極に照射することができる。
【００３１】
図８に示す例の場合、外光Ｌ２のみで得られる単位画素４５の階調特性Ｐ１によれば、白表示状態で反射輝度Ｕａを得られる。すなわち、反射輝度Ｕａを上回る反射輝度（例えば、反射輝度Ｌａ）を得るためには、外光Ｌ２に加えて内光Ｌ１を表示パネル３０に照射することによる進入光Ｌの強度上昇が必要になる。よって、図８に示すような外光Ｌ２の条件下で反射輝度Ｕａを上回る反射輝度が必要な階調値の出力が行われる場合、発光部５１が点灯する。図７に示す輝度Ｌｕに応じた強度の光を発するように発光部５１が点灯することで、単位画素４５の階調特性は、階調特性Ｐ１よりも階調値に応じた反射輝度が大きく、白表示状態において反射輝度Ｌａを得られる階調特性Ｐ２になる。
【００３２】
図８に示す例では、階調特性Ｐ２において反射輝度Ｕａの出力を行うための階調値に符号Ｔを付して示しているが、反射輝度Ｕａならば、発光部５１を点灯させなくとも、階調値を白表示状態の階調値とすることによって外光Ｌ２のみによる進入光Ｌでも出力可能である。無論、発光部５１によって単位画素４５が階調特性Ｐ２を示す状態としたうえで階調値Ｔの出力を行うことで反射輝度Ｕａの出力を得てもよい。反射輝度Ｕａの出力を得るために、階調値の制御による対応、発光部５１の点灯又はその両方の併用を前提とした階調値の制御を行うか否かは、発光部５１を共有する他の単位画素４５の出力のために必要となる反射輝度Ｕ１に応じる。例えば、出力に反射輝度Ｕａが必要な単位画素４５と出力に反射輝度Ｌａが必要な単位画素４５とが同一の発光部５１の影響下にある場合、反射輝度Ｌａが必要な単位画素４５のために発光部５１が点灯するので、反射輝度Ｕａが必要な単位画素４５は階調値Ｔの出力を行うように制御される。一方、反射輝度Ｕａ以下の反射輝度が必要な単位画素４５のみが同一の発光部５１の影響下にある場合、発光部５１を点灯させずとも各単位画素４５の階調値を個別に制御することで、各単位画素４５は、出力に必要な反射輝度を得られることになる。
【００３３】
一方、図９に示すように、画素４８の出力（階調値）制御なしでは所定の反射輝度Ｌａに対して外光強度が強すぎるために反射輝度Ｕｂが得られてしまう場合、単位画素４５の階調特性は、階調特性Ｐ３になる。図１０に示すように、反射輝度Ｕｂが所定の反射輝度Ｌａよりも高い場合、階調特性Ｐ３は、所定の反射輝度Ｌａである場合の階調特性Ｐ２から乖離してしまう。このような場合、信号処理部８０は、外光強度の超過分Ｌｄに応じて単位画素４５の出力を下げるように出力にゲインをかけて表示領域の反射率を下げることで反射輝度を所定の反射輝度Ｌａとすることができる。なお、「反射率を下げる」とは、単位画素４５の階調値を下げることで反射型表示素子（例えば、単位画素４５を構成する画素４８）の光透過性を低下させて反射光ＲＬの強度を下げることをさす。具体的には、例えば図１０に示すように、信号処理部８０がゲインをかけることで、単位画素４５は、ゲインが無い状態での階調特性Ｐ３に比して階調値に対応する反射輝度が低く調整される。これによって、所定の反射輝度Ｌａである場合の階調特性Ｐ２が得られる。
【００３４】
このように、信号処理部８０が発光部５１の動作制御、各画素４８の出力（階調値）制御又はその両方を行うことで、表示パネル３０は、所定の反射輝度Ｌａでの画像表示を行うことができるようになる。
【００３５】
図１１は、外光強度に対する反射輝度Ｄ１と例示輝度Ｄ２との対応関係の一例を示すグラフである。ユーザが画面を見やすいと感じる反射輝度の一例（例示輝度と記載）は、例えば図１１に示す例示輝度Ｄ２が示すように、外光強度に応じて変化する。これは、周囲がより暗いほど表示部１０の出力が相対的に明るく見えることによる。よって、信号処理部８０は、電子機器１を用いるユーザが設定した画面の明るさが特定の外光強度条件下における設定であったとしても、図１１に示すように、外光強度に応じて例示輝度Ｄ２を可変的に制御するようにしてもよい。係る例示輝度Ｄ２を上記の「所定の反射輝度Ｌａ」とすることで、電子機器１は、外光強度に応じた画面の明るさで表示出力を行うことができる。無論、信号処理部８０は、外光強度に関わらずユーザにより設定された輝度を保つように制御を行ってもよい。
【００３６】
外光強度が強くなるほど表示部１０の出力はより明るくなり、ある外光強度（例えば図１１に示す反射輝度Ｄ１と例示輝度Ｄ２との交差点Ｄ３に対応する外光強度）を境に反射輝度Ｄ１が例示輝度Ｄ２以上になる。係る外光強度以上の外光強度が得られる環境下では、信号処理部８０は、発光部５１を動作させない。一方、係る外光強度を下回る環境下では、信号処理部８０は、発光部５１を動作させる。
【００３７】
なお、実施形態１における光の強度は、０以上の数値で表されるものとする。また、表示部１０の画素４８に対する出力信号が示す階調値通りの反射輝度が得られる強度を１とする。すなわち、例えば２５５の階調値で制御されたある色の画素４８（例えば副画素）を、２５５の階調値が示す輝度で出力することができる光の強度を１としている。言い換えれば、光の強度が１である場合、その光で得られる最大輝度は、出力信号が示す階調値のビット数の上限（例えば、８ビットの場合２５５）である。
【００３８】
図１２は、信号処理部８０による一フレーム分の表示出力に係る処理の流れの一例を示すフローチャートである。入力信号が入力されると（ステップＳ１）、信号処理部８０は、センサ７０により測定された外光強度を取得する（ステップＳ２）。また、信号処理部８０は、明るさの設定を示すデータを取得する（ステップＳ３）。明るさの設定を示すデータは、例えばユーザにより画面の明るさに係る設定が行われている場合、ユーザにより行われた設定を反映したデータになっている。また、ユーザにより画面の明るさに係る設定が行われていない場合、明るさの設定を示すデータは、所定のデフォルト設定を反映したデータになっている。デフォルト設定は、例えば統計的に見て表示部１０を視認するユーザが画面を見やすいと感じる反射輝度を実現するための設定であるが、これはデフォルト設定の一例であってこれに限られるものでなく、適宜変更可能である。ステップＳ１〜Ｓ３の処理については、処理順序が順不同であってもよいし、並行で処理されてもよい。これらの設定を示すデータは、例えば信号処理部８０が有する記憶部に記憶されるが、これは設定の記憶のための具体的方法の一例であってこれに限られるものでなく、適宜変更可能である。例えば、制御装置１００の記憶部に設定を示すデータを記憶するようにしてもよいし、設定を示すデータを記憶するための専用の記憶装置を設けてもよい。
【００３９】
ステップＳ１〜Ｓ３の処理後、信号処理部８０は、まだ部分領域の解析処理が行われていない一つの処理単位を選択する（ステップＳ４）。信号処理部８０は、ステップＳ４の処理で選択された一つの処理単位における部分領域に対する解析処理を行う（ステップＳ５）。解析処理とは、一つの部分領域が有する複数の単位画素４５の各々に対する入力信号が示す階調値と明るさの設定とに基づいたものであって、当該実施形態においては特に当該部分領域内において最も明るい出力が行われる画素４８の特定に係る処理である。信号処理部８０は、ステップＳ５の処理結果に応じて、ステップＳ４の処理で選択された一つの処理単位における発光領域の発光強度を決定する（ステップＳ６）。信号処理部８０は、ステップＳ４の処理で選択された一つの部分領域における発光領域をステップＳ６で決定された発光強度で発光させるための命令（発光領域制御信号）を照明部２０に出力する（ステップＳ７）。ステップＳ７の処理に応じて得られるフロントライトの明るさや各画素の伸長度合いは、当該最も明るい出力が行われる画素を含む部分領域に反映される（ステップＳ８）。
【００４０】
また、信号処理部８０は、ステップＳ１の入力信号とステップＳ６の処理結果とに基づいて、ステップＳ４の処理で選択された一つの処理単位における部分領域が有する複数の単位画素４５の各々の階調値（例えば、Ｒ，Ｇ，Ｂ）を決定する（ステップＳ９）。信号処理部８０は、ステップＳ９の処理で決定された階調値を副画素毎の出力信号（例えば、Ｒ，Ｇ又はＢの出力信号）に変換し（ステップＳ１０）、表示部１０に出力する（ステップＳ１１）。ステップＳ７の処理とステップＳ９〜Ｓ１１の処理とについては、処理順序が順不同であってもよいし、並行で処理されてもよい。ステップＳ７の処理とステップＳ１１の処理との実施タイミングは、同時であるか、実施タイミングに時間差があったとしても表示装置による表示出力を視認するユーザが当該処理時間差を感じない程度に短い時間差であることが望ましい。
【００４１】
信号処理部８０は、まだ部分領域の解析処理が行われていない処理単位があるか否か判定する（ステップＳ１２）。まだ部分領域の解析処理が行われていない処理単位があると判定された場合（ステップＳ１２；Ｙｅｓ）、ステップＳ４に移行する。まだ部分領域の解析処理が行われていない処理単位がないと判定された場合（ステップＳ１２；Ｎｏ）、信号処理部８０は、一フレーム分の表示出力に係る処理を終了する。
【００４２】
以下、図１３〜図１６を参照した説明では、外光Ｌ２の測定結果に応じた白色点の設定（〜ステップＳ２）、外光Ｌ２の強度及び輝度の倍率（Ｎ）に基づいた処理単位毎の内光Ｌ１の強度の決定（〜ステップＳ７）、外光Ｌ２及び内光Ｌ１の強度に応じた画素４８の階調値の調整（〜ステップＳ１０）を順次説明する。図１３は、白色点の設定の一例を示す模式図である。例えば図１３に示すように、入力信号が示すＲＧＢ信号の階調値を用いた白色の定義は、（Ｒ，Ｇ，Ｂ）＝（２５５，２５５，２５５）であるものとする。この白色の定義における色成分の比率は、赤色（Ｒ）：緑色（Ｇ）：青色（Ｂ）＝１：１：１であるといえる。これに対し、表示装置の出力における白色を構成する色成分の比率を赤色（Ｒ）：緑色（Ｇ）：青色（Ｂ）＝１：０．８：０．８としたい場合、信号処理部８０は、入力信号が示すＲＧＢ信号に含まれる緑色（Ｇ）及び青色（Ｂ）の階調値を０．８倍する補正を行う。これにより、ＲＧＢ信号の階調値は、例えば（Ｒ，Ｇ，Ｂ）＝（２５５，２０４，２０４）になる。すなわち、白色点は、複数の色の組み合わせによって再現される白色を構成する複数の色の比率を示す。信号処理部８０は、入力信号が示す白色（例えば、（Ｒ，Ｇ，Ｂ）＝（２５５，２５５，２５５））を、白色点により定められた複数の色の比率に合わせるように各色の階調値を補正する。
【００４３】
これに対し、外光Ｌ２の色成分の比率が、赤色（Ｒ）：緑色（Ｇ）：青色（Ｂ）＝１：０．８：０．８である場合、図１３を参照して説明した入力信号の補正を行うことで、表示装置は、色成分の比率が赤色（Ｒ）：緑色（Ｇ）：青色（Ｂ）＝１：１：１である光（例えば、内光Ｌ１のみ）の照明下であっても外光Ｌ２のみの照明下と同様の色再現を行うことができる。このように、所定の色（例えば、白色）の色再現を基準とした入力信号の補正を行うことで、表示装置は、任意の色再現を行うことができる。図１３を参照した説明では、外光Ｌ２の色成分の比率を例としているが、白色の定義は外光Ｌ２の色成分の比率に限られるものでなく、任意である。また、入力信号が示すＲＧＢ信号における白色の定義についても（Ｒ，Ｇ，Ｂ）＝（２５５，２５５，２５５）に限られるものでなく、適宜変更されてよい。信号処理部８０は、入力信号の色成分の比率と表示装置の出力において目標とする白色を構成する色成分の比率（白色点）との差に応じた補正を入力信号に対して行う。信号処理部８０は、カラーマネジメントの仕組み（例えば、式（１）に示すような３×３マトリクスの行列）によって白色点を用いた入力信号の補正を行ってもよい。式（１）における左辺が白色点を示し、右辺の行列（Ｒ，Ｇ，Ｂ）が入力信号（ＲＧＢ信号）の階調値を示し、３×３マトリクスを構成する係数が補正のための係数を示す。また、階調値の補正の基準となる色は、白色以外であってよく、任意の色を用いることができる。
【００４４】
【数１】
2017049336.tif 000003
【００４５】
なお、実施形態１ではＲＧＢ信号が８ビットの値で表される場合について例示しているが、これはＲＧＢ信号の一例であってこれに限られるものでない。ＲＧＢ信号のビット数等、具体的事項については適宜変更可能であり、例えば１６ビットの値のように８ビットの値より大きい値を用いてもよいし、４ビットの値のように８ビットの値より小さい値を用いてもよい。
【００４６】
次に、ステップＳ５の処理である解析処理と、出力における明るさの補正について説明する。図１４は、入力信号に対して白色点及び輝度の倍率を用いた補正を行う場合の一例を示す模式図である。例えば、入力信号が示すＲＧＢ信号により再現される色の輝度を表示装置の出力においてＮ倍（例えば、Ｎ＝２）にしたい場合、図１４に示すように、信号処理部８０は入力信号が示すＲＧＢ信号の階調値に対して白色点に応じた補正値と輝度の倍率を示す値（Ｎ）とを乗じた値を必要輝度値として算出する。必要輝度値は、出力において必要な色（例えば、赤色（Ｒ）、緑色（Ｇ）及び青色（Ｂ））の比率を示す情報と、色毎の輝度を示す情報とを含む。
【００４７】
以下、図１７〜図１９を参照した説明では、外光強度が（Ｒ（ＯＬ），Ｇ（ＯＬ），Ｂ（ＯＬ））＝（１，０．８，０．８）であり、当該外光強度に応じて決定された白色点が示す色成分の比率が赤色（Ｒ）：緑色（Ｇ）：青色（Ｂ）＝（２５５：２０４：２０４）である場合を例としている。すなわち、外光Ｌ２のみの環境下で（Ｒ，Ｇ，Ｂ）＝（２５５，２５５，２５５）の表示出力が行われた場合に視認される白色を再現するための白色点が設定されているものとする。なお、係る白色点の設定はあくまで一例であってこれに限られるものでなく、適宜変更可能である。例えば、外光Ｌ２に関係なく白色点を設定するようにしてもよい。
【００４８】
実施形態１では、信号処理部８０はセンサ７０により測定される外光強度に応じてＮを決定する。具体的には、信号処理部８０は、例えば図８に示す反射輝度と最適輝度との比率に応じた値をＮとする。具体例を挙げると、反射輝度が例示輝度Ｄ１の１／２になる外光強度がセンサ７０により測定された場合、信号処理部８０は、Ｎの値を２とする。このように、反射輝度／例示輝度Ｄ１の逆数をＮとすることで、信号処理部８０は、外光強度に応じた補正を入力信号に施すことができる。実施形態１では、Ｎの値の上限は、外光強度と内光Ｌ１の強度との比率及び内光Ｌ１の強度の上限に依存するが、輝度の倍率を示す値（Ｎ）は、外光強度に依存せず、０を超える実数の範囲内（Ｎ＞０）で任意に設定された値であってもよい。
【００４９】
例えば、図１７に示すように、入力信号が（Ｒ，Ｇ，Ｂ）＝（１８０，２２５，８０）を示していたとする。ここで、外光強度が（Ｒ（ＯＬ），Ｇ（ＯＬ），Ｂ（ＯＬ））＝（１，０．８，０．８）であり、当該外光強度に応じて決定された白色点が示す色成分の比率が赤色（Ｒ）：緑色（Ｇ）：青色（Ｂ）＝（２５５：２０４：２０４）である場合、図１７の「白色点」で示すように、信号処理部８０は、白色点に応じた補正値として、赤色（Ｒ）の階調値に１を乗じ、緑色（Ｇ）及び青色（Ｂ）の階調値に０．８を乗じる。また、図１７の「輝度の倍率（Ｎ）」で示すように、信号処理部８０は、各色の階調値に輝度の倍率（Ｎ）に応じた値（例えば、Ｎ＝２）を乗じる。よって、図１７に示す例では、必要輝度値として、（Ｒｔ，Ｇｔ，Ｂｔ）＝（３６０，３６０，１２８）が算出される。
【００５０】
図１５は、要補助輝度の算出の一例を示す模式図である。輝度の倍率を示す値（Ｎ）によっては、図１４の例で示すように必要輝度値が外光Ｌ２のみで再現することができる階調値の上限（例えば、白色点が示す（Ｒ，Ｇ，Ｂ）＝（２５５，２０４，２０４））を超える場合がある。この場合、信号処理部８０は、必要輝度値のうち上限を超えた階調値に対応した出力を行うため、係る上限を超えた階調値の出力に応じた内光Ｌ１を得るための処理を行う。具体的には、例えば図１５に示すように、必要輝度値から外光Ｌ２で表示出力することができる色成分の最大輝度（２５５、２０４、２０４）を差し引き、残った色成分の輝度（要補助輝度）に応じた輝度を、内光Ｌ１で補助する輝度の色成分とする。より具体的には、信号処理部８０は、以下の式（２），（３），（４）を用いて、各色成分について不足輝度を補うための発光領域の出力、すなわち、当該発光領域に設けられた発光部５１から照射される内光Ｌ１の強度を算出する。内光Ｌ１の強度は、例えば０以上の値で表され、０が発光領域の無点灯を示し、所定の最大値（例えば、１）が発光領域を最大出力で点灯することを示すものとする。各色成分について不足輝度を補うために必要な内光Ｌ１の強度のうちいずれかが０を超えた場合、発光領域の点灯が必要になる。信号処理部８０は、算出された各色成分のための内光Ｌ１の強度のうち最大の強度に応じて発光部５１を点灯させるように処理を行う。最大の内光Ｌ１の強度（ＦＬＭＡＸ）は、例えば以下の式（５）の式を用いて求められる。なお、式（２），（３），（４）の左辺（Ｒ（ＦＬ），Ｇ（ＦＬ），Ｂ（ＦＬ））はそれぞれ、赤色（Ｒ）、緑色（Ｇ）、青色（Ｂ）の各々の色成分の再現に必要となる発光領域の内光Ｌ１の強度を示す。式（２），（３），（４）のＲｆ，Ｇｆ，Ｂｆは要補助輝度の値を示す（図１５参照）。式（２），（３），（４）のＦＬ（ｒ），ＦＬ（ｇ），ＦＬ（ｂ）はそれぞれ、発光領域を最大出力で点灯した場合に補われる赤色（Ｒ）、緑色（Ｇ）、青色（Ｂ）の輝度値を示す。実施形態１では、発光領域から出力される光（内光Ｌ１）の色成分が赤色（Ｒ）：緑色（Ｇ）：青色（Ｂ）＝１：１：１であり、ＦＬ（ｒ）＝ＦＬ（ｇ）＝ＦＬ（ｂ）＝２５５であるものとして説明しているが、これは発光領域の出力特性の一例であってこれに限られるものでない。ＦＬ（ｒ），ＦＬ（ｇ），ＦＬ（ｂ）は、発光領域から出力される光の色成分及び最大出力に応じて決定される。
Ｒ（ＦＬ）＝Ｒｆ／ＦＬ（ｒ）…（２）
Ｇ（ＦＬ）＝Ｇｆ／ＦＬ（ｇ）…（３）
Ｂ（ＦＬ）＝Ｂｆ／ＦＬ（ｂ）…（４）
ＦＬＭＡＸ＝ＭＡＸ｛Ｒ（ＦＬ），Ｇ（ＦＬ），Ｂ（ＦＬ）｝…（５）
【００５１】
例えば（Ｒｔ，Ｇｔ，Ｂｔ）＝（３６０，３６０，１２８）の必要輝度値（図１７及び図１８参照）に対して、外光Ｌ２による反射輝度の最大値が（Ｒ，Ｇ，Ｂ）＝（２５５，２０４，２０４）であった場合、必要輝度値から外光Ｌ２による反射輝度の最大値を差し引いて０未満になった場合は０とするように算出した値として、（Ｒ，Ｇ，Ｂ）＝（１０５，１５６，０）の値が得られる（図１８参照）。この値で得られた各色の階調値が、要補助輝度（Ｒｆ，Ｇｆ，Ｂｆ）を示す。
【００５２】
上記の式（２）〜（４）に、図１８で示す要補助輝度と、本実施形態で発光領域を最大出力で点灯した場合に補われる赤色（Ｒ）、緑色（Ｇ）、青色（Ｂ）の輝度値（ＦＬ（ｒ）＝ＦＬ（ｇ）＝ＦＬ（ｂ）＝２５５）とを当てはめると、Ｒ（ＦＬ）＝０．４１、Ｇ（ＦＬ）＝０．６１、Ｂ（ＦＬ）＝０となる。この場合、Ｒ（ＦＬ），Ｇ（ＦＬ），Ｂ（ＦＬ）のうちＧ（ＦＬ）の０．６１が最も大きい値である。よって、式（５）から、ＦＬＭＡＸ＝０．６１である。なお、本実施形態の信号処理部８０は、演算で生じた端数を小数点第１位で四捨五入しているが、端数の処理方法については任意である。
【００５３】
例えば、図８に示す階調値Ｔに対して輝度の倍率（Ｎ）に応じた値（例えば、Ｎ＝２）が適用されることで、階調値Ｔ２が算出されたとする。階調値Ｔは、外光Ｌ２のみで出力することができる。よって、階調値Ｔの出力は外光Ｌ２のみによることができる。一方、階調値Ｔ２は、階調値Ｔを超えている。よって、階調値Ｔ２の出力は外光Ｌ２に加えて内光Ｌ１による補助が必要となる。この場合、階調値Ｔ２を出力するために必要な光の強度と外光強度との差（例えば、反射輝度Ｕａと反射輝度Ｌａとの差）が要補助輝度になる。
【００５４】
実施形態１では、処理単位毎に発光領域からの光（内光Ｌ１）の強度が制御される。このため、各処理単位で必要となる内光Ｌ１の強度は、各処理単位における部分領域が有する複数の単位画素４５のうち輝度が最も高い出力を行う単位画素４５の出力に応じた輝度である必要がある。信号処理部８０は、一つの部分領域が有する複数の単位画素４５毎に、必要輝度の算出及び上記の式（２）〜（５）を用いた最大の内光Ｌ１の強度（ＦＬＭＡＸ）の算出を行い、算出された単位画素４５毎のＦＬＭＡＸのうち最大のＦＬＭＡＸを当該一つの部分領域を有する処理単位における発光領域の内光Ｌ１の強度（ＩＬ）として採用する処理を、解析処理として行う。信号処理部８０が行う解析処理は、すなわち、所定の画像表示領域（例えば、一つの部分領域）に含まれる複数の画素４８のうち最も高い階調値での出力を行う画素４８において入力信号が示す輝度値のＮ倍（Ｎ＞０）の輝度を得るための必要輝度値を算出する処理である。また、解析処理においては、要補助輝度を算出する過程において、外光強度と必要輝度値との比較結果（例えば、外光Ｌ２のみで再現することができる階調値の上限を必要輝度値から差し引いた結果）に応じて内光Ｌ１の強度を決定している。このように、信号処理部８０は、複数の部分領域の各々の表示出力に必要な内光Ｌ１の強度を複数の発光領域毎に決定している。
【００５５】
内光Ｌ１の強度（ＩＬ）は、一つの処理単位における発光領域から発せられる光（内光Ｌ１）の強度を示す値である。解析処理は、内光Ｌ１の強度を決定する処理であるといえる。信号処理部８０は、この内光Ｌ１の強度を一つの処理単位における発光領域の発光強度として扱い、この内光Ｌ１の強度で当該発光領域を発光させるための命令として発光領域制御信号を光源部制御回路６０に出力する。
【００５６】
図１６は、処理単位毎の内光Ｌ１の強度の導出に係る処理の一例を示す模式図である。図１６では、処理単位毎に色別で最大の値を取る階調値にマスキングを施している。図１６に示すように、処理単位Ｕ１の部分領域に含まれる複数の単位画素４５の必要輝度値（Ｒｔ，Ｇｔ，Ｂｔ）は、それぞれ（３６０，３６０，１２８）、（３００，３００，１００）、（２００，２００，５０）、（１００，１００，２５）、（５０，５０，０）…である。処理単位Ｕ１の部分領域では、赤色（Ｒ）の必要輝度値（Ｒｔ）、緑色（Ｒ）の必要輝度値（Ｇｔ）及び青色（Ｒ）の必要輝度値（Ｇｔ）の全てについて、一つの単位画素４５の必要輝度値（Ｒｔ，Ｇｔ，Ｂｔ）＝（３６０，３６０，１２８）が最大値を示している。よって、信号処理部８０は、当該一つの単位画素４５の必要輝度値（Ｒｔ，Ｇｔ，Ｂｔ）＝（３６０，３６０，１２８）に基づいて算出されるＦＬＭＡＸ（０．６１）を内光Ｌ１の強度として採用することになる。すなわち、内光Ｌ１の強度は、一つの部分領域において最も内光Ｌ１の補助を必要とする階調値の画素４８に基づいて決定され、当該部分領域に含まれる他の画素４８の階調値の低さは関係しない。
【００５７】
一方、処理単位Ｕ２の部分領域に含まれる複数の単位画素の必要輝度値（Ｒｔ，Ｇｔ，Ｂｔ）は、それぞれ（３６０，２５０，１００）、（３００，３６０，１００）、（１００，１００，１２８）、（１００，１００，２５）、（５０，５０，０）…である。処理単位Ｕ２の部分領域では、必要輝度値（３６０，２５０，１００）の単位画素４５が赤色（Ｒ）の必要輝度値（Ｒｔ＝３６０）の最大値を示す。また、必要輝度値（３００，３６０，１００）の単位画素４５が緑色（Ｇ）の必要輝度値（Ｇｔ＝３６０）の最大値を示す。また、必要輝度値（１００，１００，１２８）の単位画素４５が青色（Ｂ）の必要輝度値（Ｂｔ＝１２８）を示す。この場合、信号処理部８０は、内光Ｌ１の強度の算出に際して、これら複数の単位画素４５の各々の必要輝度値が示す各色の必要輝度値の最大値を採用する。この場合、（Ｒｔ＝３６０）の単位画素４５のＦＬＭＡＸは０．４１である。また、（Ｇｔ＝３６０）の単位画素４５のＦＬＭＡＸは０．６１である。また、（Ｂｔ＝１２８）の単位画素４５のＦＬＭＡＸは０である。よって、処理単位Ｕ２の内光Ｌ１の強度は、０．６１になる。このように、内光Ｌ１の強度を導出するための必要輝度値は、処理単位毎に、一つの処理単位に含まれる複数の単位画素４５の必要輝度値に基づいて決定される。信号処理部８０は、処理単位毎に内光Ｌ１の強度を導出し、導出された内光Ｌ１の強度と外光強度とに基づいて内光Ｌ１の強度を算出する。
【００５８】
図１６及び説明では省略しているが、本実施形態の信号処理部８０は、処理単位に含まれる全ての画素のＦＬＭＡＸを個別に求めたうえで処理単位毎に最大のＦＬＭＡＸを特定し、特定された最大のＦＬＭＡＸを内光Ｌ１の強度としている。
【００５９】
なお、本実施形態では、単位画素４５毎にＦＬＭＡＸを求めたうえで処理単位毎に最大のＦＬＭＡＸを内光Ｌ１の強度とするようにしているが、単位画素４５を構成する各色の最大の階調値を処理単位毎に特定し、特定された各色の最大の階調値を出力するためのＦＬＭＡＸを算出し、当該ＦＬＭＡＸを内光Ｌ１の強度とするようにしてもよい。この場合、信号処理部８０は、処理単位Ｕ１，Ａ２のどちらであっても、必要輝度値（Ｒｔ，Ｇｔ，Ｂｔ）＝（３６０，３６０，１２８）に基づいて求められる要補助輝度（Ｒｆ，Ｇｆ，Ｂｆ）＝（１０５，１５６，０）に基づいて内光Ｌ１の強度（ＦＬＭＡＸ＝０．６１）を算出することになる。
【００６０】
図１７は、出力信号の決定に係る演算の一例を示す模式図である。信号処理部８０は、最大の内光Ｌ１の強度に応じて点灯する発光領域からの光による輝度の上昇を前提とした補正を必要輝度値に施す。具体的には、信号処理部８０は、以下の式（６）〜（８）を用いて必要輝度値を補正し、単位画素４５を構成する副画素の各々に対する出力信号が示す階調値（Ｏ（Ｒ），Ｏ（Ｇ），Ｏ（Ｂ））を決定する。式（６）〜（８）のＲｔ，Ｇｔ，Ｂｔはそれぞれ、必要輝度値が示す赤色（Ｒ）、緑色（Ｇ）及び青色（Ｂ）の色成分を示す。式（６）〜（８）のＲ（ＯＬ），Ｇ（ＯＬ），Ｂ（ＯＬ）はそれぞれ、外光Ｌ２により確保することができる強度を示す。式（６）〜（８）のＲ（ＩＬ），Ｇ（ＩＬ），Ｂ（ＩＬ）はそれぞれ、発光領域からの光（内光Ｌ１）により確保することができる強度、すなわち、内光Ｌ１の強度を示す。具体的には、Ｒ（ＩＬ），Ｇ（ＩＬ）及びＢ（ＩＬ）は、処理単位における最大のＦＬＭＡＸの値となる。
Ｏ（Ｒ）＝Ｒｔ／（Ｒ（ＯＬ）＋Ｒ（ＩＬ））…（６）
Ｏ（Ｇ）＝Ｇｔ／（Ｇ（ＯＬ）＋Ｇ（ＩＬ））…（７）
Ｏ（Ｂ）＝Ｂｔ／（Ｂ（ＯＬ）＋Ｂ（ＩＬ））…（８）
【００６１】
式（６）〜（８）が示すように、表示装置の信号処理部８０は、外光強度をＯＬ、内光Ｌ１の強度をＩＬ、入力信号が示す階調値をＩ、画素４８の出力階調値をＯとした場合、以下の式（９）に基づいて複数の画素４８の各々の出力階調値を算出している。また、実施形態１の信号処理部８０は、ＩＬ＞０が満たされる場合、所定の画像表示領域（例えば、一つの部分領域）に含まれる複数の画素４８のうち最も高い階調値での出力が行われる画素４８の出力階調値を、光透過率を最大にする階調値とする条件下で必要輝度値を算出する。具体例を挙げると、図１７に示す例では、処理単位における発光領域の内光Ｌ１の強度（ＩＬ）として採用された光の色、すなわち、内光Ｌ１による光の強度の補助が最も必要であった色が緑色（Ｇ）である。このため、内光Ｌ１による光の強度の補助が最も必要であった単位画素４５が有する緑色（Ｇ）の副画素４８Ｇは、最大の階調値（２５５）で出力されることになる。このように階調値を制御することで、内光Ｌ１による補助を最小限にすることと意図した輝度を確保することとを両立することができる。
Ｏ＝Ｉ×Ｎ／（ＯＬ＋ＩＬ）…（９）
【００６２】
以下の式（１０）〜（１２）は、図２０に示す例を式（６）〜（８）に当てはめた式である。例えば、図１８に示す要補助輝度（Ｒｆ，Ｇｆ，Ｂｆ）＝（１０５，１５６，０）に基づいたＦＬＭＡＸ＝０．６１が内光Ｌ１の強度（ＩＬ）として採用された場合について考える。すなわち、内光Ｌ１の強度は、（Ｒ（ＩＬ），Ｇ（ＩＬ），Ｂ（ＩＬ））＝（０．６１，０．６１，０．６１）として表すことができる。外光強度が（Ｒ（ＯＬ），Ｇ（ＯＬ），Ｂ（ＯＬ））＝（１，０．８，０．８）である場合、係る各色成分の外光強度に、（Ｒ（ＩＬ），Ｇ（ＩＬ），Ｂ（ＩＬ））＝（０．６１，０．６１，０．６１）の内光Ｌ１が加算される。よって、式（６）における「（Ｒ（ＯＬ）＋Ｒ（ＩＬ））」、すなわち、進入光Ｌによる赤色の光の強度は、以下の式（１０）で示すように、「１．６１」になる。また、式（７）における「（Ｇ（ＯＬ）＋Ｇ（ＩＬ））」、すなわち、進入光Ｌによる緑色の光の強度は、以下の式（１１）で示すように、「１．４１」になる。また、式（８）における「（Ｂ（ＯＬ）＋Ｂ（ＩＬ））」、すなわち、進入光Ｌによる青色の光の強度は、以下の式（１２）で示すように、「１．４１」になる。信号処理部８０は、係る強度の進入光Ｌが照射される条件下で、必要輝度値である（Ｒｔ，Ｇｔ，Ｂｔ）＝（３６０，３６０，１２８）を出力するための出力階調値制御を行う。具体的には、信号処理部８０は、以下の式（１０）〜（１２）で示すように、進入光Ｌによる各色成分の光の強度の値で各色の必要輝度値を除算する。この結果、図２０で示すように、（Ｏ（Ｒ），Ｏ（Ｇ），Ｏ（Ｂ））は、（２２３，２５５，９１）になる。
Ｏ（Ｒ）＝３６０／（１＋０．６１）＝２２３…（１０）
Ｏ（Ｇ）＝３６０／（０．８＋０．６１）＝２５５…（１１）
Ｏ（Ｂ）＝１２８／（０．８＋０．６１）＝９１…（１２）
【００６３】
ここで、式（１０）における「３６０」は、入力信号が示す階調値（Ｒ＝１８０）にＮ（Ｎ＝２）を乗じた値である。よって、外光の強度（Ｒ（ＯＬ）＝１）をＯＬ、内光Ｌ１の強度（Ｒ（ＩＬ）＝０．６１）をＩＬ、入力信号が示す階調値（Ｒ＝１８０）をＩ、画素の出力階調値（Ｏ（Ｒ）＝２２３）をＯとした場合、信号処理部８０は、以下の式（９）に基づいて出力階調値を算出している。
Ｏ＝Ｉ×Ｎ／（ＯＬ＋ＩＬ）…（９）
【００６４】
また、式（１１）における「３６０」は、入力信号が示す階調値（Ｇ＝２２５）に、白色点による補正（０．８）を施したうえでＮ（Ｎ＝２）を乗じた値である。よって、外光の強度（Ｇ（ＯＬ）＝０．８）をＯＬ、内光Ｌ１の強度（Ｇ（ＩＬ）＝０．６１）をＩＬ、入力信号が示す階調値（Ｇ＝２２５）をＩ、画素の出力階調値（Ｏ（Ｇ）＝２５５）をＯとした場合、信号処理部８０は、以下の式（９）に基づいて出力階調値を算出している。
Ｏ＝Ｉ×Ｎ／（ＯＬ＋ＩＬ）…（９）
【００６５】
また、式（１２）における「１２８」は、入力信号が示す階調値（Ｂ＝１６０）に、白色点による補正（０．８）を施したうえでＮ（Ｎ＝２）を乗じた値である。よって、外光強度（Ｂ（ＯＬ）＝０．８）をＯＬ、内光Ｌ１の強度（Ｂ（ＩＬ）＝０．６１）をＩＬ、入力信号が示す階調値（Ｂ＝１６０×０．８＝１２８）をＩ、画素の出力階調値（Ｏ（Ｇ）＝２５５）をＯとした場合、信号処理部８０は、以下の式（９）に基づいて出力階調値を算出している。
Ｏ＝Ｉ×Ｎ／（ＯＬ＋ＩＬ）…（９）
【００６６】
白色点は、複数の色の組み合わせ（例えば、ＲＧＢ）によって再現される白色を構成する複数の色の比率であるから、信号処理部８０は、複数の色の組み合わせによって再現される白色を構成する複数の色の比率を用いて入力信号が示す階調値を補正したうえで式（１）に基づいて複数の画素の各々の出力階調値を算出している。なお、式（１０）でも、実際には、入力信号が示す階調値（Ｒ＝１８０）に対して白色点による補正（９）が施されているが、補正による階調値の変化が生じていないため、実質的に補正されていない（Ｒ＝１８０×１＝１８０）。
【００６７】
このように、信号処理部８０は、上記の式（６）〜（８）を用いた副画素の出力信号が示す階調値の算出を、部分領域が有する複数の単位画素４５の各々に対して行うことで、ステップＳ８の処理にあるように、一つの処理単位における部分領域が有する複数の単位画素４５の各々の階調値を決定する。
【００６８】
信号処理部８０は、処理単位毎に上記で説明した処理と同様の処理を行う。これによって、信号処理部８０は、光源部５０が有する全ての発光領域の各々の内光Ｌ１の強度を決定するとともに、表示部１０が有する全ての部分領域の各々が有する複数の副画素の各々の出力信号が示す階調値を決定するとともに、光源部５０が有する全ての発光領域の各々の内光Ｌ１の強度を決定する。このように、信号処理部８０は、一つの部分領域を所定の画像表示領域として当該一つの部分領域に対応する一つの発光領域の必要輝度値を算出し、当該一つの発光領域から発せられる内光Ｌ１の強度を決定し、当該一つの部分領域に含まれる複数の画素４８の各々の出力階調値を算出する。
【００６９】
図１８は、処理単位毎の内光Ｌ１の制御及び階調値の算出の一例を示す図である。外光Ｌ２は、全ての処理単位で共通である。図１８では、外光強度が（Ｒ（ＯＬ），Ｇ（ＯＬ），Ｂ（ＯＬ））＝（１，０．８，０．８）である場合を示している。図１８に示す処理単位Ｕ１，Ｕ２では、当該処理単位に含まれる複数の単位画素４５に対する入力信号に基づいて必要輝度値（Ｒｔ，Ｇｔ，Ｂｔ）＝（３６０，３６０，１２８）が得られている。このため、処理単位Ｕ１，Ａ２では、上記の図１７〜図２０を参照した説明の通り、内光Ｌ１の強度が「０．６１」となる。また、図１８に示す処理単位Ｕ３では、当該処理単位に含まれる複数の単位画素４５に対する入力信号に基づいて必要輝度値（Ｒｔ，Ｇｔ，Ｂｔ）＝（３６０，１２８，１２８）が得られている。このため、処理単位Ｕ３では、Ｒ（ＦＬ）＝０．４１、Ｇ（ＦＬ）＝０、Ｂ（ＦＬ）＝０となる。よって、ＦＬＭＡＸ＝０．４１が算出されることから、処理単位Ｕ３の内光Ｌ１の強度は「０．４１」となる。また、図１８に示す処理単位Ｕ４では、当該処理単位に含まれる複数の単位画素４５に対する入力信号に基づいて必要輝度値（Ｒｔ，Ｇｔ，Ｂｔ）＝（２００，１２８，１２８）が得られている。このため、処理単位Ｕ４では、Ｒ（ＦＬ）＝０、Ｇ（ＦＬ）＝０、Ｂ（ＦＬ）＝０となる。よって、ＦＬＭＡＸ＝０が算出されることから、処理単位Ｕ４の内光Ｌ１の強度は「０」となる。このように、本実施形態によれば、処理単位毎に必要な内光Ｌ１の強度で処理単位の各々に設けられた発光部５１を個別に制御することができるようになる。図１８では、４つの処理単位Ｕ１，Ｕ２，Ｕ３，Ｕ４について必要輝度値及び内光Ｌ１の強度を示しているが、信号処理部８０は、他の処理単位についても同様の仕組みで個別に処理を行う。
【００７０】
図１９は、一つの処理単位に含まれる複数の単位画素の階調値の算出例を示す図である。図１９では、外光強度が（Ｒ（ＯＬ），Ｇ（ＯＬ），Ｂ（ＯＬ））＝（１，０．８，０．８）である場合を示している。処理単位Ｕ１に含まれる複数の単位画素４５の必要輝度値（Ｒｔ，Ｇｔ，Ｂｔ）は、それぞれ（３６０，３６０，１２８）、（３００，３００，１００）、（２００，２００，５０）、（１００，１００，２５）、（５０，５０，０）…である。信号処理部８０は、これらの必要輝度値に対し、式（６）〜（８）に基づいて外光強度（Ｒ（ＯＬ），Ｇ（ＯＬ），Ｂ（ＯＬ））＝（１，０．８，０．８）及び処理単位Ｕ１の内光Ｌ１の強度（０．６１）を踏まえた進入光Ｌの強度に応じた階調値を算出する。よって、図１９に示すように、複数の単位画素４５に対する出力信号が示す階調値は、それぞれ（Ｏ（Ｒ），Ｏ（Ｇ），Ｏ（Ｂ））＝（２２３，２５５，９１）、（１８６，２１３，７１）、（１２４，１４１，３５）、（６２，７１，１８）、（３１，３５，０）…のようになる。図１９では、処理単位Ｕ１の場合を示しているが、信号処理部８０は、他の処理単位についても同様の仕組みで個別に処理を行う。
【００７１】
なお、発光領域の出力（発光）と、表示部１０による画像の出力との間におけるフレームのずれは、ヒトの眼で視認できないほど短い時間であれば許容される。例えば、表示装置１が６０フレーム毎秒（ｆｐｓ）の出力を行う場合に、表示部１０による画像の出力タイミングに対して当該画像に対応する入力信号に基づいて算出された内光Ｌ１の強度に応じた光源部５０の発光領域の発光タイミングが１フレーム遅れたとしても、当該遅れはヒトの眼で視認できないことから、許容される。ｆｐｓ及びフレーム数の具体的数値はあくまで一例でありこれに限られるものでない。画像の出力タイミングと発光タイミングとの間で許容されるフレームのずれの度合いは、ｆｐｓの数値の大きさに応じて適宜変更可能である。
【００７２】
信号処理部８０は、決定された階調値を示す信号を出力信号として副画素に出力する。また、信号処理部８０は、決定された発光領域の各々の内光Ｌ１の強度に応じた発光強度で発光させるための信号を発光領域に出力する。表示部１０は、出力信号が示す階調値に応じた光透過率となるように各画素４８を動作させる。照明部２０は、各々の発光領域を命令に応じた発光強度で点灯させる。
【００７３】
なお、実施形態１では、白色点が示す白色の定義、すなわち、白色を構成する複数の色の比率を変更することで、任意の色空間を採用することができる。具体例を挙げると、測定部（例えば、センサ７０）により外光Ｌ２が含む複数の色の各々の色成分の強度を測定し、測定された複数の色の各々の色成分の強度の比率を信号処理部８０が白色点の定義として採用することで、白色として出力される色を当該外光の照射条件下で視認される白色にすることができる。言い換えれば、係る白色点を採用することで、表示装置の表示出力における色空間を、表示パネル３０に照射される光を構成する色の比率に関わらず当該外光Ｌ２の照射条件下の色空間とすることができる。
【００７４】
白色点による色空間の定義は、複数の色の各々の外光Ｌ２の強度の比率に限られない。例えば、信号処理部８０は、白色を構成する複数の色の比の値を全て等しくするようにしてもよい。すなわち、信号処理部８０は、白色点の定義が示す複数の色の比を１：１：…：１にするようにしてもよい。実施形態１における内光Ｌ１は、赤色（Ｒ）、緑色（Ｇ）及び青色（Ｂ）の色成分の比が１：１：１なので、この条件に該当する。実施形態１で白色点の定義が示す複数の色の比を１：１：１にすることで、表示パネル３０に照射される光を構成する色の比率に関わらず内光Ｌ１の照射条件下の色空間とすることができる。
【００７５】
実施形態１では、外光強度が表示出力に十分な強度である場合等、内光Ｌ１が用いられない場合もありうる。意図的に暗めの表示出力とするよう設定されている場合等において、外光強度が表示出力に十分な強度になる可能性がより上昇する。また、表示装置を備える電子機器１の周囲が完全な闇である場合等、外光強度が０である場合もありうる。
【００７６】
以下、図２０〜図２５を参照して、各部分領域に対する内光Ｌ１の強度が決まった後に行われる画素の輝度調整について説明する。具体的には、隣接する部分領域の各々に対する内光Ｌ１の強度差によっては、部分領域の境界付近で色差が視認される可能性が生じる。このため、本実施形態では、内光Ｌ１が弱い方の部分領域にグラデーションを生じさせるように出力階調値を補正することで、当該色差を視認しにくくする。図２０〜図２５を参照した説明では、係る補正に関する事項を説明する。
【００７７】
図２０は、一つの部分領域と、当該一つの部分領域に光を照射する一つの発光領域が有する発光部５１との位置関係の一例を示す図である。複数の単位画素４５を有する一つの部分領域に光を照射する一つの発光領域は、複数の発光部５１を有する。具体的には、例えば図２０に示すように、Ｘ×Ｙ＝１０×１０の単位画素４５を有する一つの部分領域に光を照射する一つの発光領域は、５×５の発光部５１を有する。
【００７８】
複数の発光部５１は、信号線ＰＬ及び走査線ＱＬを共有する。具体的には、図２０に示すように、Ｙ方向に沿って並ぶ複数の発光部５１が、Ｙ方向に沿う一条の信号線ＰＬに接続されている。また、Ｘ方向に沿って並ぶ複数の発光部５１が、Ｘ方向に沿う一条の走査線ＱＬに接続されている。信号線ＰＬ及び走査線ＱＬは、各発光部５１の発光強度を制御するための図示しない駆動部を介して発光部５１と光源部制御回路６０とを接続する。例えば光源部制御回路６０は、信号線ＰＬを介して各発光部５１の発光強度を示す信号を各駆動部に出力する。また、光源部制御回路６０は、点灯させる発光部５１が存する走査線ＱＬに駆動信号を出力する。駆動信号が出力された走査線ＱＬと接続された駆動部は、信号に応じて発光部５１を動作させる。信号線ＰＬ及び走査線ＱＬの太さは、表示装置により表示される画像を視認するユーザが視認できないほどに極めて細い。
【００７９】
図２１は、２×２の部分領域Ａ１〜Ａ４の出力例を示す模式図である。図２２は、２×２の部分領域Ａ１〜Ａ４に光を照射する複数の発光領域Ｆ１〜Ｆ４の発光状態の一例を示す模式図である。図２２に示す光の強度（α又はβ）は、α＞βの関係を示す。
【００８０】
グラデーションを生じさせるように当該画素の出力信号を調整する場合の例として、複数の部分領域のうち、一部の部分領域がより強い内光Ｌ１を必要とするより高い輝度の出力を行う表示領域Ｂｒを一部分に有し、当該表示領域の周囲に存する複数の部分領域が表示領域Ｂｒよりも弱い光で出力することができる所定の出力行う場合を想定する。図２１に示す例では、２×２の部分領域Ａ１〜Ａ４のうち、左上の部分領域Ａ１に表示領域Ｂｒが存する場合を示している。部分領域Ａ１の表示領域Ｂｒ以外の単位画素４５及び部分領域Ａ１の周囲に存する部分領域Ａ１〜Ａ４の全ての単位画素４５は、黒色（（Ｒ，Ｇ，Ｂ）＝（０，０，０））を出力する。また、表示領域Ｂｒは、部分領域Ａ１の最外周の画素を含まないものとする。
【００８１】
図２１を参照して説明した例の場合、これらの部分領域Ａ１〜Ａ４の各々に光を照射する発光領域のうち、より高い輝度の出力を行う表示領域Ａ１を有する部分領域に光を照射する発光領域Ｆ１のみ、その周囲の発光領域Ｆ２〜Ｆ４よりも強い光を発することになる（図２２参照）。この結果、後述する補正を行わないとすると、部分領域Ａ１と部分領域Ａ２〜Ａ４で同一輝度の出力を行っている単位画素４５のうち、一部の単位画素４５のみ異なる輝度の表示出力として視認される場合がある。具体的には、表示領域Ｂｒがあるためにより強い光が照射される部分領域Ａ１における黒色（（Ｒ，Ｇ，Ｂ）＝（０，０，０））は、その強い光によって、周囲の部分領域Ａ２〜Ａ４における黒色（（Ｒ，Ｇ，Ｂ）＝（０，０，０））よりも明るめの黒色として視認される場合がある。このような色の差の視認は、部分領域Ａ１と周囲の部分領域Ａ２〜Ａ４との境界を挟んでＸ方向、Ｙ方向又は斜め方向に隣接する単位画素４５で最も顕著になることから、係る境界を示す色の差として現れる。隣接する発光領域の光の強度差がより大きい程、係る色の差が視認される可能性が高まり、発光領域から照射される光の強度が異なる部分領域同士の境界で係る色の差が視認される可能性がより高まる。
【００８２】
図２２では、発光領域Ｆ１からの光の強度が、その周囲の発行領域Ｆ２〜Ｆ４からの光の強度より強い場合の例を示している。発光領域Ｆ１からの光の照射があり、その周囲の発行領域Ｆ２〜Ｆ４からの光の照射がない場合に限らず、全ての発光領域Ｆ１〜Ｆ４が発光している場合であって、発光領域Ｆ１からの光がより強い場合も図２２に示す例に該当する。
【００８３】
そこで、信号処理部８０は、隣接する発光領域の光の強度差が所定の閾値以上である場合、上記の色の差の視認が困難となるよう、部分領域Ａ２〜Ａ４に存する単位画素４５の階調値を補正する。具体的には、信号処理部８０は、部分領域Ａ２〜Ａ４に存する単位画素４５のうち、部分領域Ａ１との境界線により近い位置の単位画素４５からより遠い位置の単位画素４５にかけて徐々に明るさが暗くなるようにする。これによって、部分領域Ａ１からその周囲の部分領域Ａ２〜Ａ４にかけて徐々に明るさが暗くなるグラデーションがかかったような状態になる。係るグラデーションのような明るさの補正によって、色の差を視認しにくくすることができる。
【００８４】
図２３は、色の差の視認を困難にするための補正のイメージ図である。図２３に示す例では、部分領域Ａ１の表示領域Ｂｒを除いて、部分領域Ａ１，Ａ２に存する単位画素４５に入力された階調値が黒色（（Ｒ，Ｇ，Ｂ）＝（０，０，０））を示している。すなわち、表示領域Ｂｒを除く領域が同じ色として視認されて然るべきである。
【００８５】
図２３に示す例では、表示領域Ｂｒの出力のために、外光Ｌ２に加えて内光Ｌ１が必要であるため、部分領域Ａ１に照射される光は外光Ｌ２及び内光Ｌ１になる。一方、部分領域Ａ２に照射される光は、外光Ｌ２のみである。ここで、内光Ｌ１の有無による光の強度の差が所定の閾値以上であると、部分領域Ａ１における相対的に明るい黒色と部分領域Ａ２における相対的に暗い黒色との差が視認されることがある。そこで、信号処理部８０は、図２３に示すように、部分領域Ａ１への近さに応じて部分領域Ａ２の単位画素４５の出力階調値を上げることで、部分領域Ａ１に近づくにつれて部分領域Ａ２の黒色の明るさが徐々に明るくなるようにする。
【００８６】
例えば、部分領域Ａ１における黒色が、外光Ｌ２及び内光Ｌ１によって（Ｒ，Ｇ，Ｂ）＝（ｅ，ｅ，ｅ）の階調値であるように視認される明るさを示していたとする。この場合、信号処理部８０は、部分領域Ａ２に存する単位画素４５のうち部分領域Ａ１に最も近い位置に存する単位画素４５が（Ｒ，Ｇ，Ｂ）＝（ｅ，ｅ，ｅ）と同等の色で視認されるように補正する。また、信号処理部８０は、部分領域Ａ１から遠ざかるに従って、部分領域Ａ２の単位画素４５の色を（Ｒ，Ｇ，Ｂ）＝（０，０，０）から（Ｒ，Ｇ，Ｂ）＝（ｅ，ｅ，ｅ）に近づける補正の度合いを小さくする。これによって、図２３に示す例では、部分領域Ａ２における破線枠内の領域で部分領域Ａ１から遠ざかるほど黒色の明るさが暗くなるようなグラデーションがかかることになる。
【００８７】
図２３では、部分領域Ａ１と部分領域Ａ２との関係について説明しているが、信号処理部８０は、部分領域Ａ１の周囲の他の部分領域（例えば、部分領域Ａ３，Ａ４）についても同様に、部分領域Ａ１からの距離に応じた出力階調値の補正を行う。
【００８８】
図２３で示すイメージに対応する補正に係る具体的な処理について説明する。信号処理部８０は、例えば、上記のステップＳ６の処理結果に基づいて、隣接する発光領域の光の強度差が所定の閾値以上であるか否か判定する。所定の閾値は、生じ得る光の強度差の最大値以下の値であれば任意の値であってよいが、実験等に基づいて設定されることが望ましい。実験とは、例えば、隣接する複数の部分領域同士の境界付近に存する単位画素４５を含む連続する領域で同一色の出力を行わせ、かつ、これらの部分領域に光を照射する複数の発光領域からの光の強度を発光領域毎に異ならせた場合に異なる出力のように見える（又は出力を測定するためのセンサ等に異なる出力として検知される）か否かを検証するための実験をさす。
【００８９】
隣接する発光領域の光の強度差が所定の閾値未満であると判定された場合、信号処理部８０は、これらの発光領域の光の強度差に応じた補正を行わない。一方、隣接する発光領域の光の強度差が所定の閾値以上であると判定された場合、信号処理部８０は、補正を行う。図２４を参照した説明では、発光領域Ｆ１と発光領域Ｆ２の間で光の強度差が所定の閾値以上であると判定された場合について説明する。また、光の強度の強弱関係は、発光領域Ｆ１＞発光領域Ｆ２であるとする。
【００９０】
図２４は、所定数の単位画素４５に対する補正の度合いの一例を示す模式図である。図２４は、部分領域Ａ２に係る補正の例を示す。図２４及び後述する図２５で図示する一つの矩形は、単位画素４５を示す。
【００９１】
信号処理部８０は、光の強度がより弱い発光領域Ｆ２からの光が照射される部分領域Ａ２に対して補正を行う。具体的には、信号処理部８０は、部分領域Ａ２が有する単位画素４５のうち、部分領域Ａ１側に存する所定数の画素の輝度を上げる補正を行う。図２４では、係る補正の対象となった単位画素４５にマスキングを施して図示している。
【００９２】
信号処理部８０は、基準となる補正値（以下、基準値）を決定するための処理を行う。実施形態１では、隣接する発光領域の光の強度差に応じた基準値が予め設定されているものとする。基準値は、例えば補正による輝度の上昇分の基準値である。係る基準値は、部分領域Ａ２の単位画素４５の出力（階調値）をどの程度上昇させれば部分領域Ａ１の出力と異なる色として視認されない又は視認等される出力差が許容範囲に収まるかを確認するための実験等に基づいて設定される。信号処理部８０は、隣接する発光領域Ｆ１，Ｆ２の光の強度差に応じた基準値を記憶部から読み出すことで、基準値を決定する。信号処理部８０は、基準値を用いた補正を部分領域Ａ２に適用する。信号処理部８０は、例えば以下の式（１３）を用いて、部分領域Ａ１との境界からの距離が所定画素幅（例えば、５画素分：５つの単位画素４５に応じた幅）以内である単位画素４５に対する補正として加えられる輝度の上昇分を決定する。式（１３）のＥは、輝度の上昇分を示す。式（１３）のＨは、基準値をさす。式（１３）のＴは、所定画素幅を示す数値である。例えば、５画素分の幅である場合、Ｕ＝５である。式（１３）のＵは、部分領域Ａ１との境界から数えた単位画素４５の数を示す。例えば、各部分領域がＸ方向にＶ（１≦Ｖ≦ｖ）個、Ｙ方向にＷ（１≦Ｗ≦ｗ）個の単位画素４５を有する場合、各部分領域が有する単位画素４５の座標は（Ｘｖ，Ｙｗ）と表すことができる。この場合、部分領域Ａ２が有する単位画素４５のうち、部分領域Ａ１との境界に隣接する（Ｘ１，Ｙｗ）の単位画素４５は、内光Ｌ１がより強い部分領域との境界から数えて１番目に存する単位画素４５であるので、Ｕ＝１となる。同様に、この場合、Ｕ＝Ｖとなるが、Ｖ＞Ｔ＋１の位置に存する単位画素４５は、所定画素幅に含まれないので、補正の対象外になる。
Ｅ＝Ｈ×（Ｔ−Ｕ＋１）…（１３）
【００９３】
上記の式（１３）では、補正が施される単位画素４５のうち部分領域Ａ１から最も遠い位置（例えば、Ｖ＝５）の単位画素４５に適用される輝度の上昇分が基準値（Ｈ）として定められている場合の式であるが、これは輝度の上昇分を決定するための式であってこれに限られるものでない。例えば、補正が施される単位画素４５のうち部分領域Ａ１から最も近い位置（例えば、Ｖ＝１）の単位画素４５に適用される輝度の上昇分が基準値（Ｈ）として定められていてもよい。その場合、式（１３）の（Ｔ−Ｕ＋１）に代えて、｛（Ｔ−Ｕ＋１）／Ｔ｝を含む式が輝度の上昇分の算出に用いられる。いずれの式を用いたとしても、図２４に示すように、補正が施される単位画素４５のうち部分領域Ａ１から最も近い位置に存する単位画素４５に対して最も大きい補正（例えば、Ｅ＝５）が適用され、当該部分領域から離れるにつれて補正による輝度の上昇分が小さくなるように補正が適用される。また、信号処理部８０は、部分領域Ａ２に限らず、部分領域Ａ１に上下左右で隣接する他の部分領域がある場合、同様の主旨で補正を行う。具体的には、信号処理部８０は、部分領域Ａ３についても、部分領域Ａ２と同様の補正を行う。より具体的には、部分領域Ａ３の場合、部分領域Ａ１により近い上側の行に並ぶ単位画素４５が補正されることになる。
【００９４】
図２５は、所定数の単位画素４５に対する補正の度合いの一例を示す模式図である。図２４は、部分領域Ａ４に係る補正の例を示す。図２５に示すように、部分領域Ａ１に対して斜め方向で隣接する部分領域Ａ４については、信号処理部８０は、以下の式（１４）を用いて所定画素幅分の単位画素４５に対する補正として加えられる輝度の上昇分を決定する。Ｘｉ，Ｙｉはそれぞれ、部分領域Ａ４が有する単位画素４５のうち、部分領域Ａ１との境界になる角の位置を始点として数えたＸ方向及びＹ方向の単位画素４５の数である。例えば、図２５に示す例の場合、部分領域Ａ４と部分領域Ａ１との境界になる角に最も近い位置に存する単位画素４５は（Ｘ１，Ｙ１）であり、この単位画素４５は（Ｘｉ，Ｙｉ）＝（１，１）である。よって、（Ｘｉ，Ｙｉ）＝（Ｖ，Ｗ）であるといえる。
【００９５】
【数２】
2017049336.tif 000004
【００９６】
上記の説明では、式（１３），（１４）のような式を用いて、演算により補正として適用される輝度の上昇分を算出しているが、これは補正による輝度の上昇分を決定するための具体的方法の一例であってこれに限られるものでない。例えば、信号処理部８０は、図２４、図２５に示すような、内光Ｌ１がより強い部分領域との境界からの距離と輝度の上昇分の分布（又は補正により加えられる輝度の上昇分の比率（ゲイン））を示すテーブルデータ等、補正に用いるデータを記憶部に記憶するようにしてもよい。この場合、信号処理部８０は、係るデータを読み出して所定数の単位画素４５に対する輝度の上昇分を決定する。図２５の括弧内の数値は、テーブルデータがゲインを示す場合のゲイン量（値）の一例を示す。信号処理部は、補正により加えられる最大の輝度値に係るゲイン量（値）を乗じた輝度を上昇させるよう各画素の補正を行う。
【００９７】
信号処理部８０は、上記のように決定された輝度の上昇分を出力階調値に反映する。具体的には、輝度の上昇分に対応した階調値を副画素４８の出力階調値に加える。例えば補正前の色が黒色（例えば（Ｒ，Ｇ，Ｂ）＝（０，０，０））である場合、信号処理部８０は、白色点に応じた比率で赤色（Ｒ）の副画素４８Ｒ、緑色（Ｇ）の副画素４８Ｇ及び青色（Ｂ）の副画素４８Ｂの各々の階調値の上昇分を決定する。言い換えれば、補正前の色が黒色である場合、信号処理部８０は、輝度を上昇させることで当該黒色を白色に近づける方向に補正する。また、補正前の色が黒色以外の色である場合、信号処理部８０は、補正前の色の色相及び彩度を変化させずに輝度のみ上昇させる。すなわち、信号処理部８０は、補正前の入力信号が示す赤色（Ｒ）、緑色（Ｇ）及び青色（Ｂ）の比率を変化させない出力階調値となるように赤色（Ｒ）の副画素４８Ｒ、緑色（Ｇ）の副画素４８Ｇ及び青色（Ｂ）の副画素４８Ｂの各々の階調値の上昇分を決定する。
【００９８】
上記のように、信号処理部８０は、輝度の上昇分を出力階調値に反映する。このため、部分領域Ａ２，Ａ３，Ａ４に照射される光の強度がゼロである場合、光が全くないことから、補正として輝度の上昇分を出力階調値に反映したとしても結果として視認される表示出力は輝度の上昇分に関わらず（Ｒ，Ｇ，Ｂ）＝（０，０，０）となってしまう。すなわち、内光Ｌ１及び外光Ｌ２の両方が全くない部分領域では、出力階調値に対する補正のみでは輝度の上昇分が目に見えるかたちで現れない。このような状況は、部分領域Ａ２，Ａ３，Ａ４が有する全ての単位画素４５の補正前の出力階調値が（Ｒ，Ｇ，Ｂ）＝（０，０，０）である場合に生じ得る。
【００９９】
そこで、信号処理部８０は、部分領域Ａ２，Ａ３，Ａ４に照射される光の強度がゼロである場合、発光領域Ｆ２，Ｆ３，Ｆ４から照射される内光Ｌ１の強度を発光領域Ｆ１の内光Ｌ１の強度に近づけるように強める。具体的には、信号処理部８０は、補正により加えられる輝度の上昇分を反映した出力に必要となる最低限の内光Ｌ１の強度を求める。例えば、輝度の上昇分が（Ｒ，Ｇ，Ｂ）＝（１６，１６，１６）である場合、必要となる最低限の内光Ｌ１の強度は、０．０６２５（＝１／１６）となる。言い換えれば、必要となる最低限の内光Ｌ１の強度は、輝度の上昇分が示す各色の階調値のうち内光Ｌ１を最も必要とする階調値を当該階調値の最大値（例えば、２５５）で割った値に対応する。信号処理部８０は、このようにして求められた必要となる最低限の内光Ｌ１の強度で発光領域Ｆ２，Ｆ３，Ｆ４を点灯させる。また、信号処理部８０は、各単位画素４５に対して補正として加えられる「輝度の上昇分を示す階調値」を、求められた「必要となる最低限の内光Ｌ１の強度」の逆数で伸長する。例えば、輝度の上昇分が（Ｒ，Ｇ，Ｂ）＝（１６，１６，１６）であり、必要となる最低限の内光Ｌ１の強度は、０．０６２５（＝１／１６）である場合、必要となる最低限の内光Ｌ１の強度の逆数（１６）で伸長された輝度の上昇分は、（Ｒ，Ｇ，Ｂ）＝（２５５，２５５，２５５）になる。これにより、補正により加えられる輝度の上昇分が確保される。
【０１００】
図２３〜図２５を参照して説明したように、実施形態１では、隣接する複数の部分領域（例えば、部分領域Ａ１と、部分領域Ａ２，Ａ３，Ａ４）で同一の輝度の表示出力を行う画素（例えば、単位画素４５）が隣接し、かつ、当該複数の部分領域の各々に光を照射することができるように設けられた発光領域の各々の光の強度の差（例えば、発光領域Ｆ１の光の強度と、発光領域Ｆ２，Ｆ３，Ｆ４の光の強度との差）が所定の閾値以上である場合、隣接する複数の部分領域のうち内光強度がより弱い第１の発光領域（例えば、発光領域Ｆ２，Ｆ３，Ｆ４）の光が照射される第１の部分領域（例えば、部分領域Ａ２，Ａ３，Ａ４）が有する所定数の画素の輝度を上げる補正を行う。
【０１０１】
ここで、所定数の画素は、上記で説明した「同一の輝度」（例えば、黒色）の表示出力を行う画素であって、かつ、内光Ｌ１の強度がより強い第２の発光領域（例えば、発光領域Ｆ１）に対応する部分領域側に存する画素である。つまり、部分領域Ａ１及び部分領域Ａ２，Ａ３，Ａ４に「同じ色（例えば、黒色）」の出力がされる単位画素４５があるにも関わらず、発光領域Ｆ１と発光領域Ｆ２，Ｆ３，Ｆ４の光の強度差によって当該「同じ色」に差があるかのように視認される可能性を鑑み、信号処理部８０が所定数の画素に補正を行う。図２４及び図２５では、マスキングが施された単位画素４５が、所定数の画素に該当する。
【０１０２】
図２６は、一つの発光領域からの光の強度分布の一例を示す模式図である。実施形態１では、ある部分領域に対して補正をする場合に、隣接する部分領域に光を照射する発光領域からの光を考慮するようにしてもよい。具体的には、例えば発光領域Ｆ１から光（内光Ｌ１）が発せられた場合、係る発光領域の光は、当該発光領域に対応する部分領域Ａ１に隣接する部分領域Ａ２，Ａ３にも到達する強度分布を示すことがある。図２６では、発光領域Ｆ１からの光であって部分領域Ａ１，Ａ２，Ａ３に照射される光についてのみ例示しているが、部分領域Ａ１の上及び左に隣接する部分領域があった場合にも同様の状況が生じる。以下、図２６に示す例のように、隣接する部分領域Ａ１に光を照射する発光領域Ｆ１からの光が到達する部分領域Ａ２，Ａ３を到達領域と記載し、係る光を到達光と記載することがある。
【０１０３】
到達光は、発光領域からの距離に応じて減衰する。到達光の減衰パターンは、図２６に示すように、距離に比例した直線的な減衰パターンＰｔ２よりも大きい曲線的な減衰パターンＰｔ１になる。このような曲線的な減衰パターンＰｔ１は、直線的な減衰パターンＰｔ２よりも輝度の変化が大きいことから、部分領域Ａ１と到達領域（部分領域Ａ２，Ａ３）が共に同一輝度の出力階調値による出力を行っていたとしても、部分領域Ａ１における輝度のほうがより高く見えてしまうことがある。すなわち、同一輝度の出力階調値による出力でありながら、一部の部分領域のみ異なる輝度の表示出力として視認される場合がある。そこで、実施形態１では、信号処理部８０が係る場合に到達光を考慮した補正を行うようにしてもよい。
【０１０４】
図２７は、到達光を考慮した補正の一例を示す模式図である。到達光の曲線的な減衰パターンＰｔ１は、到達領域の各単位画素４５で反射する前の到達光の減衰パターンである。このため、減衰がより激しい距離に対応する位置に存する単位画素４５の光透過率を上げる補正を行うことで、到達領域に反射された後の光の減衰の度合いを緩やかにすることができる。このため、例えば図２７に示すように、到達光の反射前の曲線的な減衰パターンＰｔ１を、反射後に直線的な減衰パターンＰｔ２に補正することができる。これにより、発光領域からの距離に応じた減衰パターンをより緩やかにすることができるので、発光領域に対応する部分領域と到達領域との輝度差をより視認しにくくすることができる。具体的には、信号処理部８０は、到達領域が有する単位画素４５のうち到達光が照射される画素であって、かつ、距離に応じた光の減衰の度合いがより大きい一部の画素（例えば、図２７に示すＶ＝１〜５の５画素幅分の単位画素４５）の出力階調値を上昇させる伸長処理を行う。出力階調値が上がるということは、その単位画素４５伸長処理による階調値の上昇の度合いは、減衰パターンの補正の度合いに応じる。信号処理部８０は、例えば反射後の到達光が直線的な減衰パターンＰｔ２を示すように出力階調値を補正するが、これは一例であってこれに限られるものでなく、適宜変更可能である。発光領域の強度分布及び具体的な伸長の度合いは、発光領域の強度分布を測定して当該伸長の度合いを決定するための実験等により得られたデータ（到達光関連データ）に基づいて決定され、記憶部等に記憶されている。図２６、図２７を参照した説明では、一つの発光領域からの光の強度分布に着目しているが、信号処理部８０は、複数の発光領域の各々について個別に係る強度分布に基づいた補正を行う。このように、信号処理部８０は、複数の発光領域の各々から発せられる内光Ｌ１の強度分布に基づいて補正を行う。
【０１０５】
なお、上記の図２６で示すような減衰パターンは、一つの発光領域が有する発光部５１が表示部１０の表示面に向かう全方位に対して均一な光を照射する場合の例を示している。発光領域が有する発光部５１の位置等の条件によっては、到達領域によって到達光の減衰パターンが各到達領域で異なることもある。到達光補正データは、係る条件に応じた到達光の減衰パターンの差異を踏まえて作成されていてもよい。
【０１０６】
図２８、図２９及び図３０は、一つの発光領域が有する複数の発光部５１の配置パターンの一例を示す図である。図２８、図２９及び図３０における円の各々が発光部５１を示し、破線で囲われた領域が一つの発光領域を示す。図３１、図３２、図３３は、それぞれ図２８、図２９、図３０に示す一つの発光領域からの光が到達する範囲及び到達光の強度の減衰パターンの一例を示す図である。図３１、図３２及び図３３は、発光領域Ｆ１のみが発光した場合の光の強度を示している。図２８、図２９及び図３１、図３２の例に示すように、発光領域の外周縁側に設けられた発光部５１の配置間隔がより密であるほど、到達光の距離に応じた減衰の度合いがより急激になる。そこで、図３０に示すように、発光領域の外周縁側に設けられる発光部５１の配置間隔を調整することで、図３２に示すように、到達光の強度の減衰パターンをより緩やかにすることができる。これにより、発光領域に対応する部分領域と到達領域との輝度差をより視認しにくくすることができる。
【０１０７】
ただし、発光領域の中央部については、発光領域からの面的な発光における光のむらをより低減する目的で、外周縁に比して発光部５１の配置間隔をより密にすることが望ましい。よって、例えば図２９に示すように、発光領域が有する複数の発光部５１のうち、外周縁に沿って設けられる発光部５１の配置間隔を当該発光領域の中央部における発光部５１の配置間隔に比して大きくすることで、むらのより少ない発光パターンと、発光領域に対応する部分領域と到達領域との輝度差をより視認しにくくする発光パターンとを両立することができる。さらに、図２９に示すように、隣接する発光領域の各々が有する外周縁に沿う発光部５１が互い違いになるように発光部５１を配置することで、隣接する複数の発光領域が同時に発光する場合に発せられる光のむらをより少なくすることができる。
【０１０８】
また、隣接する発光領域同士の境界線に重なるように発光部５１が設けられていてもよい。この場合、境界線に重なるように設けられた発光部５１を共有する二つの発光領域がともに発光する場合、当該境界線に重なる発光部５１は全て点灯する。一方、当該二つの発光領域のうち一方のみが発光する場合、図３０に示すように、当該境界線に重なる発光部５１は、一つ置きに点灯し、点灯する発光部５１同士の間に存する発光部５１は点灯しない。このように発光部５１の動作を制御することで、図３３に示すように、到達光の強度の減衰パターンをより緩やかにすることができる。これにより、発光領域に対応する部分領域と到達領域との輝度差をより視認しにくくすることができる。なお、図３０では、点灯しない発光部５１にマスキングを施している。
【０１０９】
上記の説明では、信号処理部８０が補正の対象とする「所定数の画素」が、部分領域Ａ２，Ａ３，Ａ４が有する一部の画素である場合を例示しているが、「所定数の画素」は、当該部分領域の全部の画素であってもよい。また、外光Ｌ２がゼロでない場合であっても、例えば補正に際して外光Ｌ２が十分でない場合等、部分領域Ａ１と部分領域Ａ２，Ａ３，Ａ４との輝度差をより低減するために必要であると判断される場合に、発光領域Ｆ２，Ｆ３，Ｆ４のいずれか又は複数の光をより強めるようにしてもよい。この場合、例えば、上記の「所定の閾値」を第１閾値とし、当該第１閾値と異なる第２閾値を別途設定する。信号処理部８０は、隣接する発光領域の各々の光の強度の差が第２閾値以上である場合、光の強度差に応じて内光Ｌ１の強度がより弱い発光領域の光をより強めるようにしてもよい。
【０１１０】
以上、実施形態１によれば、隣接する複数の部分領域のうち第１の部分領域が有する所定数の画素の輝度を上げる補正を行うことで、隣接する発光領域の光の強度差により生じる出力の輝度差をより視認しにくくすることができる。
【０１１１】
また、所定数の画素のうち、第２の部分領域により近い側に存する画素の輝度をより遠い側に存する画素の輝度よりも相対的に上げる補正を行うことで、第２の発光領域から離れるに従って生じる輝度差の変化をより緩やかにすることができる。このため、隣接する発光領域の光の強度差により生じる出力の輝度差をより視認しにくくすることができる。
【０１１２】
また、同一の輝度の表示出力が黒色の表示出力である場合に補正を行うことで、発光領域の光の強度差によって黒色の表示出力が行われる領域の一部が浮いて見える状態の発生を抑制することができる。
【０１１３】
また、第１の発光領域の内光Ｌ１の強度を内光Ｌ１の強度を第２の発光領域の内光Ｌ１の強度に近づけるように強めることで、出力階調値の補正のみによる視認の是正が困難な場合にも隣接する発光領域の光の強度差により生じる出力の輝度差をより視認しにくくすることができる。
【０１１４】
また、第１の発光領域の内光Ｌ１の強度がゼロである場合、第１の発光領域の内光Ｌ１の強度を第２の発光領域の内光Ｌ１の強度に近づけるように強めることで、補正のために必要な光を確保することができる。このため、出力階調値の補正のみによる視認の是正が困難な場合にも隣接する発光領域の光の強度差により生じる出力の輝度差をより視認しにくくすることができる。
【０１１５】
また、複数の発光領域の各々から発せられる内光Ｌ１の強度分布に基づいて補正を行うことで、内光Ｌ１の強度がより強い発光領域の内光Ｌ１を利用して補正を行うことができる。
【０１１６】
また、外光強度に応じた明るさで表示出力を行うことができる。また、一つの部分領域を所定の画像表示領域として当該一つの部分領域に対応する一つの発光領域の必要輝度値を算出し、当該一つの発光領域から発せられる内光Ｌ１の強度を決定し、当該一つの部分領域に含まれる複数の画素４８の各々の出力階調値を算出することで、各部分領域に必要な内光Ｌ１の強度で各発光領域を発光させる制御を行うことができる。このため、一部の部分領域の出力が明るい場合においても内光Ｌ１の補助が不要又は相対的に弱い強度の光で十分な部分領域に対応する発光領域の発光量を下げることができ、消費電力をより低減することができる。
【０１１７】
また、複数の画素４８が複数の色のうちいずれかの色を出力する副画素であり、表示部１０が複数の副画素の出力の組み合わせで色再現を行う場合のように、カラー出力においても外光強度に応じた明るさで表示出力を行うことができる。
【０１１８】
また、複数の色の組み合わせによって再現される白色を構成する複数の色の比率（白色点）を用いて入力信号が示す階調値を補正することで、任意の色空間による色再現を行うことができる。
【０１１９】
また、測定された複数の色の各々の色成分の強度の比率を、白色を構成する複数の色の比率とすることで、表示パネル３０に照射される光を構成する色の比率に関わらず外光Ｌ２のみの照明条件下での色再現を行うことができる。
【０１２０】
また、白色を構成する複数の色の比の値を全て等しくすることで、表示パネル３０に照射される光を構成する色の比の値が等しくない場合であっても白色を構成する複数の色の比の値が全て等しい色空間での色再現を行うことができる。
【０１２１】
また、複数の画素４８が赤色（Ｒ）、緑色（Ｇ）、青色（Ｂ）のうちいずれかの色を出力する副画素であり、表示部１０が赤色（Ｒ）の副画素４８Ｒ、緑色（Ｇ）の副画素４８Ｇ及び青色（Ｂ）の副画素４８Ｂの出力の組み合わせでＲＧＢ信号に応じた色再現を行うことで、入力信号から出力信号を得るための処理における色の変換処理等を最小限にすることができる。
【０１２２】
また、ＩＬ＞０が満たされる場合、所定の画像表示領域に含まれる複数の画素４８のうち最も高い階調値での出力が行われる画素４８の出力階調値を、光透過率を最大にする階調値とする条件下で必要輝度値を算出することで、内光Ｌ１による補助を最小限にすることと意図した輝度を確保することとを両立することができる。
【０１２３】
（実施形態２）
次に、本発明の実施形態２について説明する。実施形態１と同様の構成については同じ符号を付して説明を省略することがある。
【０１２４】
図３４は、実施形態２に係る表示装置を備えた電子機器１Ａの主要構成の一例を示すブロック図である。図３５は、実施形態２に係る表示装置の模式的な分解斜視図である。実施形態２の電子機器１Ａは、実施形態１における照明部２０に代えて、照明部２０Ａを備える。照明部２０Ａは、例えば、光源部５０Ａ、光源部制御回路６０等を有する。光源部５０Ａは、表示パネル３０の表示面Ｓ側に配置される。光源部５０Ａは、表示パネル３０の表示面Ｓに対して内光Ｌ１を照射するフロントライトである。この光源部５０Ａは、表示部１０に第一の色の光を照射する第一光源５１Ｒと、表示部１０に第二の色の光を照射する第二光源５１Ｇと、表示部１０に第三の色の光を照射する第三光源５１Ｂとを有する。第一光源５１Ｒ、第二光源５１Ｇ及び第三光源５１Ｂは、例えば透光性基板上に設けられた自発光素子である。透光性基板としては、例えば、ガラス、各種プラスチック材料（例えば、ＰＭＭＡ、ポリカーボネート樹脂、アクリル系樹脂、非晶性のポリプロピレン系樹脂、ＡＳ樹脂を含むスチレン系樹脂）などの透光性基板を用いることができる。第一光源５１Ｒ、第二光源５１Ｇ及び第三光源５１Ｂは、例えば、有機電界発光素子（有機ＥＬ（Electroluminescence）素子や無機電界発光素子（無機ＥＬ素子）、有機発光ダイオード（ＯＬＥＤ；Organic  Light  Emitting  Diode）及びマイクロ発光ダイオード（ＭｉｃｒｏＬＥＤ；Micro  Light  Emitting  Diode）などにより構成される。第一光源５１Ｒ、第二光源５１Ｇ及び第三光源５１Ｂは、表示パネル３０の表示面Ｓに向けて光を照射する。第一光源５１Ｒ、第二光源５１Ｇ、第三光源５１Ｂは、それぞれ第一の色（例えば、赤色（Ｒ））、第二の色（例えば、緑色（Ｇ））、第三の色（例えば、青色（Ｂ））の光を照射するための光源である。第一光源５１Ｒ、第二光源５１Ｇ、第三光源５１Ｂは、例えば照射する光の色に応じて設けられて個別の色の光を発するＯＬＥＤであってもよいし、照射する光の色に応じたカラーフィルタを通して光を照射するよう設けられた発光素子等であってもよい。
【０１２５】
図３６は、実施形態２における補正の一例に係るイメージ図である。図３６に示すでは、部分領域Ａ１の表示領域Ｒｒを除いて、部分領域Ａ１，Ａ２に存する単位画素４５に入力された階調値が黒色（（Ｒ，Ｇ，Ｂ）＝（０，０，０））を示している。すなわち、表示領域Ｂｒを除く領域が同じ色として視認されて然るべきである。表示領域Ｒｒは、Ｒｆ＞０、かつ、Ｇｆ＝Ｂｆ＝０である。すなわち、表示領域Ｒｒは、赤色の光についてのみ要補助輝度が０を超えていて内光Ｌ１を必要とし、緑色及び青色の光については内光Ｌ１を必要としない領域である。
【０１２６】
図３６に示す例では、表示領域Ｒｒの出力のために、外光Ｌ２に加えて赤色（Ｒ）の内光Ｌ１が必要であるため、部分領域Ａ１に照射される光は外光Ｌ２及び赤色（Ｒ）の内光Ｌ１になる。一方、部分領域Ａ２に照射される光は、外光Ｌ２のみである。ここで、内光Ｌ１の有無による光の強度の差が所定の閾値以上であると、部分領域Ａ１における相対的に赤みが強い黒色と部分領域Ａ２における相対的に赤みが弱い黒色との差が視認されることがある。そこで、信号処理部８０は、図３６に示すように、部分領域Ａ１への近さに応じて部分領域Ａ２の単位画素４５の赤（Ｒ）の出力階調値を上げることで、部分領域Ａ１に近づくにつれて部分領域Ａ２の黒色の赤みが徐々に強くなるようにする。
【０１２７】
例えば、部分領域Ａ１における黒色が、外光Ｌ２及び赤色（Ｒ）の内光Ｌ１による光の強度によって（Ｒ，Ｇ，Ｂ）＝（ｊ，０，０）の階調値であるように視認される明るさを示していたとする。この場合、信号処理部８０は、部分領域Ａ２に存する単位画素４５のうち部分領域Ａ１に最も近い位置に存する単位画素４５が（Ｒ，Ｇ，Ｂ）＝（ｊ，０，０）と同等の色で視認されるように補正する。また、信号処理部８０は、部分領域Ａ１から遠ざかるに従って、部分領域Ａ２の単位画素４５の色を（Ｒ，Ｇ，Ｂ）＝（０，０，０）から（Ｒ，Ｇ，Ｂ）＝（ｊ，０，０）に近づける補正の度合いを小さくする。これによって、図３６に示す例では、部分領域Ａ２における破線枠内の領域で部分領域Ａ１から遠ざかるほど赤みが弱くなるようなグラデーションがかかることになる。
【０１２８】
図３７は、隣接する二つの発光領域の一方のみが特定の色の光源を点灯させている場合の一例を示す模式図である。図３８は、図３７において発光していなかった第１の発光領域を補正のために発光させる場合の一例を示す模式図である。図３９は、第２の部分領域の反射輝度と第１の部分領域の反射輝度との対比の一例を示すグラフである。実施形態２では、補正に際して第１の発光領域の光の強度をより強めるようにする場合に、色別に光の強度を制御することができる。具体的には、例えば図３７に示すように、隣接する二つの発光領域Ｆ１，Ｆ２の一方である発光領域Ｆ１のみが特定の色の光源（例えば、第一光源５１Ｒ）を点灯させている場合において、第２閾値を用いた判定により補正を行うべき条件が成立したとする。この場合、図３８に示すように、発光していなかった他方の発光領域Ｆ２内光Ｌ１を補正のために発光させることになる。具体的には、信号処理部８０は、発光領域Ｆ２が有する第一光源５１Ｒ、第二光源５１Ｇ、第三光源５１Ｂのうち、発光領域Ｆ１で点灯している光源を点灯させる。このとき、信号処理部８０は、発光領域Ｆ２からの光が照射される部分領域Ａ２の副画素４８のうち、補正により点灯させる光源の色に対応する副画素（例えば、赤色の副画素４８Ｒ）を出力が最大になる階調値（例えば、Ｒ＝２５５）とした場合の当該色の輝度が部分領域Ａ１の当該色の輝度と同様になるように、補正により点灯させる光源の光の強度（例えば、第一光源５１Ｒ）を決定する。
【０１２９】
より具体的には、図３７に示す二つの部分領域Ａ１，Ａ２のうち一方の部分領域Ａ１に存する領域Ｒｒのみが赤色の出力を行い、その他の領域が黒色の背景色を出力する画像出力であったとする。この場合、部分領域Ａ１には第一光源５１Ｒからの光が照射される。一方、部分領域Ａ２には光が照射されない。このため、部分領域Ａ１に照射される第一光源５１Ｒからの光の強度によっては、部分領域間で境界が生じるものとなるため、補正が必要になりうる。ここで、外光Ｌ２がゼロである場合等、出力階調値の補正のみによる出力の調整が困難な場合、信号処理部８０は、補正に際して発光領域Ｆ２の第一光源５１Ｒを点灯させる。このとき、信号処理部８０は、部分領域Ａ１における黒色の単位画素４５に対して第一光源５１Ｒの光が照射されていることによって生じる第一の色の輝度（図３９のＬｖ１）を基準の輝度として、発光領域Ｆ２の第一光源５１Ｒを点灯させる。すなわち、信号処理部８０は、部分領域Ａ２が有する単位画素が有する赤色（Ｒ）の副画素４８Ｒの出力階調値を最大（例えば、Ｒ＝２５５）とした場合の当該色の輝度（図３９のＬｖ２）が当該基準の輝度と同一の輝度になるように、他方の部分領域に対応する発光領域の第一光源５１Ｒからの光の強度（Ｒ＝Ｌｖ）を決定する。なお、外光Ｌ２の強度が十分であり、補正に係り内光Ｌ１が不要である場合、Ｌｖ＝０になる。
【０１３０】
図４０は、実施形態２における補正の別の例に係るイメージ図である。図４０に示す例では、図３６に示す例と同様、部分領域Ａ１の表示領域Ｒｒを除いて、部分領域Ａ１，Ａ２に存する単位画素４５に入力された階調値が黒色（（Ｒ，Ｇ，Ｂ）＝（０，０，０））を示している。図４０に示す例では、図３６に示す例と異なり、外光Ｌ２が全く得られない条件下であるものとする。表示領域Ｒｒの出力のために、赤色（Ｒ）の内光Ｌ１が必要であるため、部分領域Ａ１には必ず赤色（Ｒ）の内光Ｌ１が照射される。これに伴い、他の色の内光Ｌ１が照射されないと仮定すると、部分領域Ａ１における黒色は、赤みがかる。
【０１３１】
一方、部分領域Ａ２に注目すると、黒色（（Ｒ，Ｇ，Ｂ）＝（０，０，０））の出力のみを鑑みれば、部分領域Ａ２には光が必要ない。しかしながら、上記のように部分領域Ａ１の黒色が赤みがかることから、内光Ｌ１の有無による光の強度の差が所定の閾値以上である場合に、赤みの強さの差による黒色の差が視認されることがある。
【０１３２】
ここで、図４０に示す例では、前述の通り外光Ｌ２が得られない。また、黒色（（Ｒ，Ｇ，Ｂ）＝（０，０，０））の出力には内光Ｌ１が不要であることから、部分領域Ａ２には内光Ｌ１も照射されない。すなわち、部分領域Ａ２には光が全く照射されないという前提がある。このような前提で部分領域Ａ２の単位画素４５の出力階調値をいくら補正したとしても、部分領域Ａ２で視認される色は変わらない。このような場合、図３８を参照して説明したように、発光領域Ｆ２の第一光源５１Ｒからの光の強度（Ｒ＝Ｌｖ）を部分領域Ａ２に照射するように、発光領域Ｆ２の第一光源５１Ｒを動作させるのみでもよいが、別の方法でグラデーションがかかるようにしてもよい。以下、別の方法について説明する。
【０１３３】
部分領域Ａ１における黒色が、赤色（Ｒ）の内光Ｌ１による光の強度によって（Ｒ，Ｇ，Ｂ）＝（ｊ，０，０）の階調値であるように視認される明るさを示していたとする。この場合、信号処理部８０は、発光領域Ｆ２の第一光源５１Ｒからの光の強度（Ｒ＝Ｌｖ）を求める。信号処理部８０は、求められた光の強度（Ｌｖ）で、発光領域Ｆ１の第二光源５１Ｇ及び第三光源５１Ｂを点灯させるための命令（発光領域制御信号）を出力する。また、信号処理部８０は、部分領域Ａ１における黒色（（Ｒ，Ｇ，Ｂ）＝（０，０，０））の単位画素４５の階調値を（Ｒ，Ｇ，Ｂ）＝（０，２５５，２５５）に補正する。これによって、図４０に示すように、部分領域Ａ１における黒色は、（Ｒ，Ｇ，Ｂ）＝（ｊ，ｊ，ｊ）の階調値であるように視認される明るさを示す。すなわち、発光領域Ｆ１の赤色（Ｒ）の光が黒色の単位画素４５にもたらす影響（０→ｊ）に合わせるために設定される発光領域Ｆ２の赤色（Ｒ）の光の強度（Ｒ＝Ｌｖ）と同一の強度で発光領域Ｆ１から緑色（Ｇ）及び青色（Ｂ）の光を照射するとともに、黒色の単位画素の出力階調値を赤色（Ｒ）以外の色（緑色（Ｇ）及び青色（Ｂ））について最大階調値にすることで、赤みがかっていた黒色から赤みを解消し、ｊの値の大きさに応じた明るさを伴う黒色にすることができる。
【０１３４】
また、信号処理部８０は、発光領域Ｆ２の第一光源５１Ｒ、第二光源５１Ｇ及び第三光源５１Ｂを点灯させるための命令（発光領域制御信号）を出力する。これによって、部分領域Ａ２において視認される黒色を、（Ｒ，Ｇ，Ｂ）＝（０，０，０）〜（ｊ，ｊ，ｊ）の範囲内で補正することができるようになる。信号処理部８０は、部分領域Ａ２に存する単位画素４５のうち部分領域Ａ１に最も近い位置に存する単位画素４５の出力階調値を（Ｒ，Ｇ，Ｂ）＝（２５５，２５５，２５５）に補正し、（Ｒ，Ｇ，Ｂ）＝（ｊ，ｊ，ｊ）のように視認されるようにする。また、信号処理部８０は、部分領域Ａ１から遠ざかるに従って、部分領域Ａ２の単位画素４５の色を（Ｒ，Ｇ，Ｂ）＝（０，０，０）から（Ｒ，Ｇ，Ｂ）＝（ｊ，ｊ，ｊ）に近づける補正の度合いを小さくする。これによって、部分領域Ａ２における破線枠内の領域で部分領域Ａ１から遠ざかるほど黒色の明るさが暗くなるようなグラデーションがかかることになる。
【０１３５】
実施形態２に係る説明では、第一の色（例えば、赤色（Ｒ））の光を発する第一光源５１Ｒを例として説明を行っているが、他の色についても同様である。また、複数の色の光源が同時に点灯する場合であっても、信号処理部８０は、上記の説明と同様の仕組みで、各色の光の強度について個別に制御する。また、上記の実施形態２に係る説明では、部分領域Ａ１と部分領域Ａ２との関係について説明しているが、信号処理部８０は、部分領域Ａ１の周囲の他の部分領域についても同様に、部分領域Ａ１からの距離に応じた出力階調値の補正を行う。
【０１３６】
以上、実施形態２によれば、実施形態１の効果に加えて、出力階調値の補正のみによる視認の是正が困難な場合にも第一光源５１Ｒ、第二光源５１Ｇ及び第三光源５１Ｂの各々から必要最小限の光を照射させることで補正を行うことができる。
【０１３７】
（変形例）
次に、本発明の変形例について説明する。図４１は、変形例において副画素として機能する複数の画素４８による色再現の単位の一例を示す図である。変形例では、複数の画素４８が複数の色のうちいずれかの色を出力する副画素であり、表示パネル３０は、複数の副画素の出力の組み合わせで色再現を行う。具体的には、変形例では、複数の画素４８が、赤色（Ｒ）、緑色（Ｇ）、青色（Ｂ）、白色（Ｗ）のうちいずれかの色を出力する副画素であり、表示パネル３０は、赤色（Ｒ）の副画素４８Ｒ、緑色（Ｇ）の副画素４８Ｇ、青色（Ｂ）の副画素４８Ｂ及び白色（Ｗ）の副画素４８Ｗの出力の組み合わせで入力信号に応じた色再現を行う。変形例では、上記の実施形態における単位画素４５に代えて、一つの赤色（Ｒ）の副画素４８Ｒ、一つの緑色（Ｇ）の副画素４８Ｇ、一つの青色（Ｂ）の副画素４８Ｂ及び一つの白色（Ｗ）の副画素４８Ｗを有する単位画素４５Ａを複数備える。
【０１３８】
図４２は、変形例における要補助輝度の算出の一例を示す模式図である。変形例では、解析処理において必要輝度値（図１４参照）を算出した後、白色点（図１３参照）により定義された白色を構成する色成分の比率に応じた色成分を白色（Ｗ）の副画素４８Ｗの輝度（階調値）として抽出する。具体的には、白色点により定義された白色を構成する色成分（例えば、図１３に示す（Ｒ，Ｇ，Ｂ）＝（２５５，２０４，２０４））を白色の最大の輝度（Ｗ＝２５５）とする。信号処理部８０は、白色点により定義された白色を構成する色成分の比率を前提として、必要輝度値から抽出可能な白色の成分を抽出する。例えば、図１３に示す（Ｒ，Ｇ，Ｂ）＝（２５５，２０４，２０４）の場合、白色を構成する色成分の比率は、赤色（Ｒ）：緑色（Ｇ）：青色（Ｂ）＝１：０．８：０．８になる。図４２に示すように、必要輝度値の各色の成分が（Ｒ，Ｇ，Ｂ）＝（３６０，３６０，１２８）である場合、赤色（Ｒ）：緑色（Ｇ）：青色（Ｂ）＝１：０．８：０．８を前提とした白色の成分として抽出することができる各色の成分は、（Ｒ，Ｇ，Ｂ）＝（１６０，１２８，１２８）であり、これはＷ＝１６０に相当する。この場合、信号処理部８０は、（Ｒ，Ｇ，Ｂ）＝（１６０，１２８，１２８）をＷ＝１６０に置き換えて白色（Ｗ）の副画素４８Ｗの階調値として設定し、赤色（Ｒ）、緑色（Ｇ）及び青色（Ｂ）の階調値から白色を構成する成分として抽出された階調値を差し引く。この結果、ＲＧＢ信号としての必要輝度値の各色の成分が（Ｒ，Ｇ，Ｂ）＝（３６０，３６０，１２８）であった単位画素４５Ａの階調値は、ＲＧＢＷ信号になることで、（Ｒ，Ｇ，Ｂ，Ｗ）＝（２００，２３２，０，１６０）になる。このため、外光Ｌ２で表示出力することができる色成分の最大輝度が（Ｒ，Ｇ，Ｂ）＝（２５５，２０８，２０８）である場合、内光Ｌ１が必要となる色成分は緑色（Ｇ）のみ（Ｇｆ＝２８）となる。このように、変形例における信号処理部８０は、解析処理において入力信号のＲＧＢ信号に基づいて算出された必要輝度値をＲＧＢＷ信号に置換する。
【０１３９】
信号処理部８０は、ＲＧＢＷ信号に置換された後の必要輝度値から外光Ｌ２で表示出力することができる色成分の最大輝度を差し引き、残った色成分の輝度（要補助輝度）に応じた輝度を、内光Ｌ１で補助する輝度の色成分とする。変形例の解析処理における以降の処理は、上記の実施形態と同様である。より具体的には、信号処理部８０は、上記の式（２），（３），（４）を用いて、各色成分について不足輝度を補うための内光Ｌ１の強度を算出する。信号処理部８０は、算出された各色成分のために必要な内光Ｌ１の強度のうち最大の強度に応じて発光部５１を点灯させるように処理を行う。最大の内光Ｌ１の強度（ＦＬＭＡＸ）は、例えば上記の（５）の式を用いて求められる。
【０１４０】
信号処理部８０は、ステップＳ８の処理において、上記の式（６）〜（８）を用いて算出された赤色（Ｒ）、緑色（Ｇ）及び青色（Ｂ）の階調値が示す単位画素４５Ａの色成分のうち、白色点により定義された白色を構成する色成分の比率に応じた色成分を当該単位画素４５Ａの白色（Ｗ）の副画素４８Ｗの階調値として抽出し、白色（Ｗ）の副画素４８Ｗの階調値として抽出された成分量に応じた値を赤色（Ｒ）、緑色（Ｇ）及び青色（Ｂ）の階調値から差し引くことで、出力信号をＲＧＢＷ信号にする伸長処理を行う。赤色（Ｒ）、緑色（Ｇ）及び青色（Ｂ）の色成分を白色に置換する処理の詳細は、図４２を参照して説明した解析処理におけるＲＧＢＷ信号への置換処理と同様である。このように、変形例において、信号処理部８０は、ＲＧＢ信号をＲＧＢＷ信号に置換する処理を行う。以上、特筆した特徴を除いて、変形例の具体的構成は、上記の実施形態の具体的構成と同様である。
【０１４１】
以上、変形例によれば、複数の画素４８が赤色（Ｒ）、緑色（Ｇ）、青色（Ｂ）、白色（Ｗ）のうちいずれかの色を出力する副画素であり、表示パネル３０が赤色（Ｒ）の副画素４８Ｒ、緑色（Ｇ）の副画素４８Ｇ、青色（Ｂ）の副画素４８Ｂ及び白色（Ｗ）の副画素４８Ｗの出力の組み合わせで色再現を行う。また、ＲＧＢ信号が示す赤色（Ｒ）、緑色（Ｇ）及び青色（Ｂ）の各々の色成分のうち白色に変換可能な成分に応じた階調値を白色（Ｗ）の副画素４８Ｗの階調値とすることで、白色に変換可能な色成分を白色に変換して出力することができる。このため、白色（Ｗ）の副画素４８Ｗにより輝度をより上昇させることが容易になるとともに、白色（Ｗ）の副画素４８Ｗにより上昇した輝度の分だけ内光Ｌ１による補助を低減することができる。従って、変形例によれば、消費電力をより低減することができることから、内光Ｌ１による補助を最小限にすることと意図した輝度を確保することとを両立することができる。
【０１４２】
変形例においても、隣接する複数の部分領域で同一の輝度の表示出力を行う画素（例えば、単位画素４５Ａ）が隣接し、かつ、当該複数の部分領域の各々に光を照射することができるように設けられた発光領域の各々の光の強度の差が所定の閾値以上である場合、信号処理部８０は、隣接する複数の部分領域のうち内光Ｌ１の強度がより弱い発光領域に対応する部分領域が有する画素のうち当該輝度の表示出力を行う画素であって内光Ｌ１の強度がより強い発光領域に対応する部分領域側に存する所定数の画素の輝度を上げる補正を行うことができる。変形例の場合、補正により輝度を上昇させるための階調値を白色（Ｗ）の副画素４８Ｗに割り当てることもできる。また、変形例においても、補正に際して適宜、内光Ｌ１の強度がより弱い発光領域の光の強度をより強めるようにすることができる。
【０１４３】
以上、本発明の実施形態等を説明したが、これらの実施形態等の内容によりこれらの実施形態等が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【０１４４】
例えば、表示部１０がモノクロである場合、センサ７０の分光に係る機能は省略されてもよい。また、表示部１０がモノクロである場合、必要輝度値、発光領域の内光Ｌ１の強度及び出力信号が示す階調値の算出に係る処理は単一の色（モノクロ）に対応した処理になり、いずれか一つの色の式をそのまま用いることでモノクロに対応することができる。
【０１４５】
また、上記の実施形態等では複数の処理単位が設定されているが、表示部１０が有する全ての有効表示領域を一つの処理単位としてもよい。すなわち、表示部１０が有する所定の画像表示領域は、表示部１０が有する有効表示領域全てであってもよい。この場合、照明部２０は発光領域毎の個別制御に係る機能を省略されていてもよい。また、所定の画像表示領域は、これらの記載例に限られず、表示部１０が有する有効表示領域内で任意に設定することができる。
【符号の説明】
【０１４６】
１０    表示部
２０    照明部
３０    表示パネル
４０    表示パネル駆動回路
４５    単位画素
４５Ａ  単位画素
４８    画素
４８Ｒ  赤色（Ｒ）の副画素
４８Ｇ  緑色（Ｇ）の副画素
４８Ｂ  青色（Ｂ）の副画素
４８Ｗ  白色（Ｗ）の副画素
５０    光源部
５１    発光部
５１Ｒ  第一光源
５１Ｇ  第二光源
５１Ｂ  第三光源
６０    光源部制御回路
７０    センサ
８０    信号処理部
９０    入力部
１００  制御装置
１０１  画像信号変換部
【図１】
2017049336.tif 000005
【図２】
2017049336.tif 000006
【図３】
2017049336.tif 000007
【図４】
2017049336.tif 000008
【図５】
2017049336.tif 000009
【図６】
2017049336.tif 000010
【図７】
2017049336.tif 000011
【図８】
2017049336.tif 000012
【図９】
2017049336.tif 000013
【図１０】
2017049336.tif 000014
【図１１】
2017049336.tif 000015
【図１２】
2017049336.tif 000016
【図１３】
2017049336.tif 000017
【図１４】
2017049336.tif 000018
【図１５】
2017049336.tif 000019
【図１６】
2017049336.tif 000020
【図１７】
2017049336.tif 000021
【図１８】
2017049336.tif 000022
【図１９】
2017049336.tif 000023
【図２０】
2017049336.tif 000024
【図２１】
2017049336.tif 000025
【図２２】
2017049336.tif 000026
【図２３】
2017049336.tif 000027
【図２４】
2017049336.tif 000028
【図２５】
2017049336.tif 000029
【図２６】
2017049336.tif 000030
【図２７】
2017049336.tif 000031
【図２８】
2017049336.tif 000032
【図２９】
2017049336.tif 000033
【図３０】
2017049336.tif 000034
【図３１】
2017049336.tif 000035
【図３２】
2017049336.tif 000036
【図３３】
2017049336.tif 000037
【図３４】
2017049336.tif 000038
【図３５】
2017049336.tif 000039
【図３６】
2017049336.tif 000040
【図３７】
2017049336.tif 000041
【図３８】
2017049336.tif 000042
【図３９】
2017049336.tif 000043
【図４０】
2017049336.tif 000044
【図４１】
2017049336.tif 000045
【図４２】
2017049336.tif 000046